(57)【要約】  容器はハウジング内に配置された内側パッケージを含む。内側パッケージは、内側パッケージの長軸方向軸に沿って延び、かつ内側パッケージを形成する材料の第一および第二の層を含む第一の領域と、同様に長軸方向軸に沿って延びる第一の領域に隣接した第二の領域とを含む。第二の領域は、第一の層のみを含み、第二の層を含まない。第一の領域はまた、フラップを画定する第一の層内に配置された第一の虚弱線と、第一の領域内に配置されたアクセス開口部を画定する第二の層内に配置された第二の虚弱線とを含む。アクセス開口部は、フラップが閉位置にある時に、フラップによって覆われ、またフラップが開位置にある時に、少なくとも部分的に覆われない。【選択図】図１
2018535154.tif 000002
【特許請求の範囲】
【請求項１】
消費財のための容器であって、
ボックスおよび前記ボックスにヒンジ式で取り付けられたリッドを備え、前記ボックスが前部壁および後方壁を含む、ハウジングと、
前記ハウジング内に配置され、かつ前記消費財を収容するための内部容積を少なくとも部分的に画定する内側パッケージであって、前記内側パッケージが第一の層および前記第一の層の内表面に取り付けられた第二の層を備える材料で形成され、また前記内側パッケージが、
前記内側パッケージの長軸方向軸に沿って延び、かつ前記第一および第二の層を備える第一の領域であって、前記第一の領域が、フラップを画定する前記第一の層内に配置された第一の虚弱線と、前記第一の領域内に配置されたアクセス開口部（それを通して前記消費財を取り出せる）を画定する前記第二の層内に配置された第二の虚弱線とをさらに備え、また前記フラップが閉位置にある時に前記アクセス開口部が前記フラップによって覆われ、またさらに前記フラップが開位置にある時に前記アクセス開口部が少なくとも部分的に覆われない、領域と、
前記第一の領域に隣接し、かつ前記長軸方向軸に沿って延びる第二の領域であって、前記第二の領域が前記第一の層のみを含み、前記第二の層を含まない、領域とを備えるものとを備える、容器。
【請求項２】
前記フラップが前記リッドの内表面に取り付けられ、前記リッドを開口すると、前記フラップおよび前記フラップに取り付けられた前記第二の層の部分が、それぞれ前記第一および第二の虚弱線に沿って前記内側パッケージから分離され、前記アクセス開口部を露呈する、請求項１に記載の容器。
【請求項３】
前記フラップが前記リッドの前記内表面に永久接着剤で取り付けられる、請求項２に記載の容器。
【請求項４】
前記内側パッケージが、上部壁、底部壁、前記上部壁と底部壁の間を前記長軸方向軸に沿って延びる前部壁および後部壁、ならびにそれぞれ前記前部壁と後部壁の間に配置された第一および第二の側壁をさらに備える、請求項１〜３のいずれか一項に記載の容器。
【請求項５】
前記内側パッケージが前記第一および第二の側壁のうち少なくとも一つ内にシールされた部分を備え、前記第二の層が前記シールされた部分に延びない、請求項１〜４のいずれか一項に記載の容器。
【請求項６】
前記第二の層が剥離可能な接着剤によって前記第一の層の前記内表面に取り付けられる、請求項１〜５のいずれか一項に記載の容器。
【請求項７】
前記剥離可能な接着剤が感圧型接着剤を含む、請求項６に記載の容器。
【請求項８】
前記内側パッケージが、前記第一の虚弱線と前記第二の虚弱線の間に形成される封止領域をさらに備え、前記フラップが前記閉位置にある時に、前記フラップが前記封止領域内の前記第二の層に取り付けられるように、前記アクセス開口部が前記封止領域内に重なるように前記フラップが適合される、請求項１〜７のいずれか一項に記載の容器。
【請求項９】
前記封止領域が前記アクセス開口部の周囲から前記第一の虚弱線まで延びる平均幅を含み、前記平均幅が約２ｍｍ〜約５ｍｍである、請求項８に記載の容器。
【請求項１０】
前記内側パッケージの前記第一の層の外表面の少なくとも一部分が、前記ボックスの前記後方壁の内表面の対応する部分に永久的に貼り付けられる、請求項１〜９のいずれか一項に記載の容器。
【請求項１１】
前記内側パッケージの前記第一の層の前記外表面の少なくとも一部分が、前記ボックスの前記前部壁の内表面の対応する部分に永久的に貼り付けられる、請求項１〜１０のいずれか一項に記載の容器。
【請求項１２】
前記ボックス内に配置されている内側フレームをさらに備え、前記内側フレームが前部壁および一対の向かい合った側壁を備える、請求項１〜１１のいずれか一項に記載の容器。
【請求項１３】
請求項１２に記載の容器であって、
前記内側フレームが前記ボックスの前記前部壁と前記内側パッケージの間に配置されるか、または
前記内側フレームが前記内側パッケージ内に配置される、容器。
【請求項１４】
前記内側パッケージによって画定される前記内部容積に収容される消費財をさらに備える、請求項１〜１３のいずれか一項に記載の容器。
【請求項１５】
前記消費財が喫煙物品である、請求項１〜１４のいずれか一項に記載の容器。
【請求項１６】
請求項１〜１５のいずれか一項に記載の容器を備えるカートン。
【請求項１７】
長軸方向軸に沿って延びる、予め組み立てられた内側パッケージであって、前記予め組み立てられた内側パッケージが第一の層と前記第一の層の内表面に取り付けられた第二の層とを備える材料から形成され、前記予め組み立てられた内側パッケージが、
前記長軸方向軸に沿って延び、かつ前記第一および第二の層を備える第一の領域であって、前記第一の領域が、フラップを画定する前記第一の層内に配置された第一の虚弱線と、前記第一の領域内に配置されたアクセス開口部を画定する前記第二の層内に配置された第二の虚弱線とをさらに備え、前記フラップが閉位置にある時に前記アクセス開口部が前記フラップによって覆われ、またさらに前記フラップが開位置にある時に前記アクセス開口部が少なくとも部分的に覆われない、領域と、
前記第一の領域に隣接し、かつ前記長軸方向軸に沿って延びる第二の領域であって、前記第二の領域が前記第一の層のみを含み、前記第二の層を含まない、領域とを備えるものとを備える、予め組み立てられた内側パッケージ。
【請求項１８】
前記第一の領域に隣接し、かつ前記長軸方向軸に沿って延びる第三の領域であって、前記第一の領域が前記第二の領域と前記第三の領域の間に配置され、また前記第三の領域が前記第一の層のみを含み、前記第二の層を含まない、領域をさらに備える、請求項１７に記載の予め組み立てられた内側パッケージ。
【請求項１９】
前記第一の領域が横断方向に測定した約２ｍｍ〜約２０ｍｍの幅を持つ、請求項１７〜１８のいずれか一項に記載の予め組み立てられた内側パッケージ。
【請求項２０】
請求項１７〜１９のいずれか一項に記載の予め組み立てられた内側パッケージであって、
前記第一の領域が、前記予め組み立てられた内側パッケージの全長にわたり長軸方向に延びるか、または
前記第一の領域が、第一の横断部分と第二の横断部分の間を長軸方向に延びるかであり、前記第一および第二の横断部分のそれぞれが、前記第一の層のみを含み、前記第二の層を含まない、予め組み立てられた内側パッケージ。
【発明の詳細な説明】
【技術分野】
【０００１】
本発明は、再び封じることができる内側パッケージを備える消費財のための容器に関連する。この容器には、紙巻たばこなどの細長い喫煙物品のための容器としての特定の用途がある。
【背景技術】
【０００２】
紙巻たばこや葉巻たばこなどの喫煙物品は一般に、ボックスと、容器の後方壁を横切って延びるヒンジ線の周りにボックスに結合されたリッドとを持つ剛直なヒンジ・リッド型容器内にパッケージされる。こうしたヒンジ・リッド型容器は通常、一枚の層状の厚紙ブランクから構成される。使用時、リッドはヒンジ線を中心に回転して容器を開き、ボックス内に配置されている喫煙物品の束へのアクセスが得られる。
【０００３】
ボックス内に配置されている喫煙物品の束は通常、金属化紙、金属箔またはその他の柔軟なシート材料の内側ライナー内に包まれる。内側ライナー内の喫煙物品の束にアクセスするには、消費者は通常、ヒンジ・リッド型容器を初めて開く際に、内側ライナーの予め穿孔された上部を取り外して破棄する。
【０００４】
しかし、例えば水、湿度、香味および臭味の出入りに対する向上した保護を提供するためには、再び封じることができる実質的に気密なラッパーに喫煙物品の束を封入することが知られている。
【０００５】
例えば、欧州特許出願第ＥＰ−Ａ−０  ９４４  ５３９号は、画定されたアクセス開口部を内部に有するバリア材料の層のシールされた筐体内に喫煙物品が封入されている、喫煙物品のヒンジ・リッド式パックを開示している。アクセス開口部は、永久的に粘着性のある表面を持つカバー層によって覆われており、これは開口部を初めて開けた後で筐体を再封するために、バリア材料の層と係合されることができる。シールされた筐体の開口および再開口を助けるために、カバー層の底部端に非粘着性のタブが提供される。
【０００６】
国際特許出願第ＷＯ−Ａ−２００８／１４２５４０号は、カバーフラップの下側に塗られた不乾性で再粘着性の接着剤を使用して内側パッケージに固定されているカバーフラップによって閉じられている取り出し用開口部を備える内側パッケージ内に喫煙物品が封入されている、喫煙物品のヒンジ・リッド式パックを開示している。カバー層の底部タブの内表面または外表面は、リッドの開閉によってカバーフラップも同時に開閉されるように、ヒンジ・リッド式パックのリッドの内表面に永久的にかつ取り外しできないように接着される。
【０００７】
さらなる例として、国際特許出願第ＷＯ−Ａ−２０１１／００９５２０号は、内側パックであるシールされたブロックと、外側パックであるヒンジ・リッド式ボックスとを含む、喫煙物品用のパックを開示している。シールされたブロックは、内側ブランクまたは内側ブランクの外側層によって形成された作動用タブと、追加材料として内部に形成された開口用タブとを含む。開口用タブは、作動用タブの助けで開位置に移動し、このプロセスによって内側層の領域内にある取り出し用開口部が露呈される。
【発明の概要】
【０００８】
本発明の一つの目的は、内側パッケージの製造に利用される機械類への実質的な改造を必要とすることなく、容器の内側パッケージの一つ以上のシールの気密性を改善することである。
【０００９】
本発明の一つの態様において、消費財用の容器が説明されている。容器は、ボックスと、ボックスにヒンジで取り付けられたリッドとを含むハウジングを含み、ここでボックスは前部壁および後方壁を含む。容器はまた、ハウジング内に配置され、かつ消費財を収容するための内部容積を少なくとも部分的に画定する内側パッケージを備える。内側パッケージは、第一の層と、第一の層の内表面に取り付けられた第二の層とを含む材料で形成される。内側パッケージはまた、内側パッケージの長軸方向軸に沿って延び、第一および第二の層を含む第一の領域を含む。第一の領域はまた、フラップを画定する第一の層内に配置された第一の虚弱線と、第一の領域内に配置されたアクセス開口部（それを通して消費財を取り出すことができる）を画定する第二の層内に配置される第二の虚弱線とを含む。アクセス開口部は、フラップが閉位置にある時に、フラップによって覆われる。さらに、アクセス開口部は、フラップが開位置にある時に、少なくとも部分的に覆われない。内側パッケージはまた、長軸方向軸に沿って延びる第一の領域に隣接した第二の領域を含む。第二の領域は、第一の層のみを含み、第二の層を含まない。
【００１０】
現行のシール構造では、最終的なパックの品質および機能性は、リッドと自己粘着性ラベルの間の適切な粘着に依存し、ここでラベルは両面に複雑な構造またはレイアウトを持つ。言い換えれば、容器の内側パッケージの外表面に取り付けられた自己粘着性ラベルは、内側パッケージに剥離可能に取り付けられる必要がある。こうした複雑な構造は、内側パッケージを形成するのに利用される多層材料を含みうる。ところが、この多層材料は、多層のため厚さが増大し得るため、まとめてシールして内側パッケージを形成するのをより困難にし兼ねない。例えば、材料の複数の層をまとめてシールするには、追加的な労力が必要になる可能性があり、内側パッケージの折り目内に形成されるシール内にギャップができる可能性が増大しうる。さらに、こうした追加的な労力は、内側パッケージの材料を損傷し、最終的なパックの製造を遅らせることがある。
【００１１】
本発明の様々な態様は、現時点で入手可能であるかまたはこれまでに説明されている容器に対して一つ以上の利点を持ちうる。例えば、本明細書に記載した多層構造を含む内側パッケージによって、ユーザーは、パッケージの開口、パッケージ内部にある内容物の出し入れ、およびパッケージの再封ができるようになる。この多層構造は、パッケージの内容物の新鮮さを保つために開閉されうるシールされたパッケージを提供する、より対費用効果の高い方法を提供できる。さらに、多層構造は必要な要素をより少なくしながらも、容器の封着属性を改善する。折り目を含まない内側パッケージの領域または部分のみに多層構造を使用することで、パッケージを形成するのに必要な材料の量を低減させることができ、こうした折り目をシールするのに必要な労力の量を低減させることができ、また多層材料の折り畳み時に形成されうる折り目内のギャップをさせることができる。本発明の様々な態様のこれらおよびその他の利点は、本明細書の開示を読んで理解することにより当業者には明白であろう。
【００１２】
本発明は、消費財のための内側パッケージを含む任意の適切な容器に適用可能である。消費財（例えば、細長い喫煙物品）を、折り畳まれた層状ブランクから形成された容器内に包装することが知られている。例えば、紙巻たばこおよび葉巻たばこなどの細長い喫煙物品は一般に、喫煙物品を収容するボックスと、容器の後部壁を横切って延びるヒンジ線を中心としてボックスに接続されたリッドとを有する、ヒンジ・リッド式パック入りで販売される。ボックスは、ボックス前部壁、ボックス左側壁、ボックス右側壁、ボックス後部壁およびボックス底部壁を含みうる。リッドは、リッド前部壁、リッド左側壁、リッド右側壁、リッド後部壁およびリッド上部壁を含みうる。
【００１３】
容器内の消費財は、内側ライナー内に包まれうる。内側ライナーおよび消費財は共に、内側パッケージを形成する。容器はまた、内側パッケージ内、内側パッケージとボックスの間、または内側パッケージ内および内側パッケージとボックスの間の両方に配置された一つ以上の内側フレームを含むことができる。初めて開く前に、充填された容器は、外側ラッパー内に包まれた状態でありうる。
【００１４】
容器は、消費財を収容するために任意の適切な形状を取りうる。例えば、既に述べた通り、容器は、消費財を収容するボックスに接続された一つ以上のヒンジ留めされたリッドを持つヒンジ・リッド型容器としうる。一つ以上の実施形態において、容器は、外側シェル内に取り付けられた消費財を収容するための内側スライドを持つ、スライド・アンド・シェル容器であってもよい。容器がスライド・アンド・シェル容器である場合、外側シェルまたは内側スライドは一つ以上のヒンジ・リッドを含んでもよい。容器、内側フレーム、内側パッケージおよび外側ラッパーは、厚紙、ボール紙、プラスチック、金属、またはその組み合わせを含むがこれに限定されない、任意の適切な材料から形成しうる。厚紙の重さは、約１００グラム／平方メートル〜約３５０グラム／平方メートルとしうる。
【００１５】
本発明による容器は、長軸方向の直角の端および横断方向の直角の縁を持つ直方体の形状とすることができる。別の方法として、容器は、一つ以上の長軸方向の丸みのある端部、横断方向の丸みのある端部、長軸方向の面取りされた端部、または横断方向の面取りされた端部、またはその組み合わせを含んでもよい。例えば、本発明による容器は以下の特徴のうちの一つ以上を含んでもよいが、これに限定されない。
・前部壁および後部壁のうちの少なくとも一つの上の一つまたは二つの長軸方向の丸みのあるまたは面取りされた端部。
・前部壁および後部壁のうちの少なくとも一つの上の一つまたは二つの横断方向の丸みのあるまたは面取りされた端部。
・前部壁上の一つの長軸方向の丸みのある端部および一つの長軸方向の面取りされた端部、または後部壁上の一つの横断方向の丸みのある端部および一つの横断方向の面取りされた端部。
・前部壁上の一つの長軸方向の丸みのある端部および一つの長軸方向の面取りされた端部、および後部壁上の一つの横断方向の丸みのある端部および一つの横断方向の面取りされた端部。
・前部壁上の一つまたは二つの横断方向の丸みのある端部または面取りされた端部、および前部壁上の一つまたは二つの長軸方向の丸みのある端部または面取りされた端部。
・第一の側壁上の二つの長軸方向の丸みのある端部または面取りされた端部、または第二の側壁上の二つの横断方向の丸みのある端部または面取りされた端部。
【００１６】
容器が一つ以上の丸みのある端部を含む場合、容器を形成するブランクは、組み立てられた容器内にそれぞれの丸みのある端部を形成するための、３本、４本、５本、６本、または７本の横罫線または縦罫線を含むことが好ましい。横罫線または縦罫線は、容器の内側、または容器の外側のいずれにあってもよい。横罫線または縦罫線は、互いに約０．３ｍｍ〜４ｍｍの間隔を持つことが好ましい。
【００１７】
縦罫線または横罫線の間隔は、層状ブランクの厚さの関数であることが好ましい。縦罫線または横罫線の間隔は、層状ブランクの厚さの約０．５〜約４倍であることが好ましい。
【００１８】
容器が一つ以上の面取りされた端部を含む場合、面取りされた端部の幅は、約１ｍｍ〜約１０ｍｍであることが好ましく、約２ｍｍ〜約６ｍｍであることが好ましい。一つ以上の実施形態において、容器は、二つの明確な面取りが容器の端の上に形成されるように間隔を置いた、３本の平行な縦罫線または横罫線によって形成された二重面取りを備えてもよい。容器が面取りされた端部を含む場合、面取りは、容器を形成する層状ブランクにある２本の平行な縦罫線または横罫線によって形成されてもよい。縦罫線または横罫線は、第一の壁と第二の壁との間の端に対して対称的に配置されてもよい。別の方法として、縦罫線または横罫線は、面取りが容器の第二の壁の中に達するよりも容器の第一の壁の中に深く達するように、第一の壁と第二の壁の間の端に対して非対称的に配置しうる。
【００１９】
別の方法として、容器は、例えば多角形（三角形または六角形など）、または楕円形、半楕円形、円形または半円形といった、非長方形の横断断面を持ちうる。
【００２０】
本発明による容器は、細長い喫煙物品（例えば、紙巻たばこ、葉巻たばこ、またはシガリロなど）用のパックとしての特定の用途がある。当然のことながら、その寸法を適切に選択することにより、本発明による容器は、異なる数の従来サイズ、キングサイズ、スーパーキングサイズ、スリム、またはスーパースリムの紙巻たばこ用に設計されてもよい。
【００２１】
その寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜３０の喫煙物品を保持するよう設計しうる。
【００２２】
容器は喫煙物品の束を収容するだけでなく、その他の消費財（例えばマッチ、ライター、消火手段、口臭清涼剤、または電子機器など）をさらに含んでもよい。ほかの消費財は、容器の外側に取り付けられてもよく、容器の中に喫煙物品とともに、容器の別の区画内に収容されてもよく、またはその組み合わせであってもよい。
【００２３】
ハウジングのリッドは、ボックスにヒンジで取り付けられ、開位置と閉位置との間で操作されるように適合される。開位置において、消費者はハウジング内に配置された消費財にアクセスできる。リッドは、容器の後方壁を横切って延びるヒンジ線に沿って、ボックスにヒンジで取り付けられてもよい。「ヒンジ線」という用語は、容器を開くために、その周りをリッドが旋回しうる線を意味する。ヒンジ線は、例えばハウジングの後部壁を形成するパネル内の折り目または横罫線であってもよい。
【００２４】
ハウジング内には、消費財を含む内側パッケージが配置される。内側パッケージは、消費財を収容するための内部容積を少なくとも部分的に画定する。内側パッケージは、第一の層と、第一の層に取り付けられた第二の層とを含む材料で形成されることが好ましい。内側パッケージは、任意の適切な技法または複数の技法の組み合わせを使用して組み立てられうる。内側パッケージを形成する材料は、望ましい形状を提供するために任意の適切な方法で折り畳まれることができることが好ましい。一つ以上の実施形態において、内側パッケージは、任意の適切な位置に、例えば内側パッケージの上部壁、底部壁、前部壁、後部壁、および側壁のうち少なくとも一つの上に配置された封筒折りを含むように形成されうる。封筒折りは、任意の適切な技法または複数の技法の組み合わせを使用して形成されることができ、任意の適切なタイプの封筒折りとしうる。一つ以上の実施形態において、封筒折りは、内側パッケージの上に折り畳まれる一つ以上のタブを含むことができ、ここで内側パッケージの前部壁から折り畳まれるタブは一般に、内側パッケージの後方壁から折り畳まれるタブの上に折り畳まれる。折り畳み部の二つ以上のタブが、シールされた部分を提供するために、任意の適切な技法または複数の技法の組み合わせを使用してまとめて取り付けられうる。例えば、タブは接着剤、超音波溶接、ヒートシール、レーザーボンディング、およびその組み合わせを使用してまとめて取り付けられうる。内側パッケージは、パッケージがいったん組み立てられると、内側パッケージ上の任意の適切な位置に位置しうる任意の適切な数の折り畳み部を含みうる。内側パッケージは、第一および第二の側壁のそれぞれがシールされた部分を含むように、第一および第二の側壁のそれぞれに封筒折りを含むことが好ましい。
【００２５】
内側パッケージを形成する材料の第一の層は、内表面および外表面を含みうる。さらに、材料の第二の層は、内表面および外表面を含みうる。第二の層は、任意の適切な技法または複数の技法の組み合わせを使用して第一の層の内表面に取り付けられてもよい。第二の層は接着剤を使用して第一の層の内表面に取り付けられることが好ましい。任意の適切な接着剤または複数の接着剤の組み合わせを利用してもよい。接着剤は剥離可能な接着剤であることが好ましい。例えば、感圧型接着剤など、任意の適切な剥離可能な接着剤が利用されうる。
【００２６】
第一および第二の層は、任意の適切な材料または複数の材料の組み合わせを含みうる。第一の層は、第二の層と同一の材料を含んでもよく、第二の層とは異なる材料を含んでもよい。第一および第二の層のうち少なくとも一つは、金属箔または金属化紙で形成されることが好ましい。第一および第二の層のうち少なくとも一つは、金属化ポリエチレンフィルムとライナー材料のラミネートとして形成されうる。第一および第二の層のうち少なくとも一つは、約１０マイクロメートル〜約５０マイクロメートルの厚さを持ちうる。加えて、第一および第二の層には、印刷受容性のトップコートが施されてもよい。第一および第二の層の一方または両方は、望ましいバリア属性を内側パッケージに提供する材料または複数の材料の組み合わせを含むことができる。第一の層は、第二の層と同じバリア属性を有してもよく、第二の層とは異なるバリア属性を有してもよい。
【００２７】
第一の層および第二の層を形成するために、任意の適切な技法または複数の技法の組み合わせが利用されうる。一つ以上の実施形態において、第一の層および第二の層のうち少なくとも一つは、押し出し成形されうる。一つ以上の実施形態において、第一および第二の層は、同時押し出し成形されうる。一つ以上の実施形態において、第一および第二の層の一方または両方は、長軸方向および横断方向の一方または両方の向きにされうる。一つ以上の実施形態において、第一の層および第二の層のうち少なくとも一つは、キャストして乾燥処理されうる。
【００２８】
内側パッケージは、任意の適切な関係で配置された一つ以上の領域を含みうる。内側パッケージは、第一の領域および第二の領域を含みうる。一つ以上の実施形態において、第一の領域は、パッケージの長軸方向軸に沿って延び、第一および第二の層の両方を含む。第一の領域は、任意の適切な形状または複数の形状の組み合わせを取り、かつ任意の適切な寸法を持ちうる。第一の領域は、横断方向に測定した約２ｍｍ〜約２０ｍｍの幅を持つことが好ましい。第一の領域はまた、内側パッケージのフラップを画定する第一の層内に配置された第一の虚弱線を含みうる。第一の虚弱線は、任意の適切な形状または複数の形状の組み合わせを取りうる。第一の虚弱線は、フラップを第一の層から分離する三つの側面と、フラップと第一の層の間にヒンジ線を形成する第四の側面とを有するフラップを画定することが好ましい。一つ以上の実施形態において、フラップは、ボックスのリッドの内表面に取り付けられて、リッドを開口すると、フラップが第一の虚弱線に沿って内側パッケージから分離されるようにしてもよい。こうした実施形態において、フラップは、リッドが開位置にある時に、例えばＳ字形状など、任意の適切な形状を取りうる。フラップは、任意の適切な形状または複数の形状の組み合わせを取り、かつ任意の適切な寸法を持ちうる。
【００２９】
第一の虚弱線は、連続的であっても非連続的（例えば、穿孔された）であってもよい。さらに、第一の虚弱線は、任意の適切な技法または複数の技法の組み合わせ、例えばレーザー切断または機械的切断（例えば、ダイ切断、キス切断）を使用して形成されてもよい。第一の虚弱線は、第一の層の内表面と外表面に横断する方向に任意の適切な深さを含んでもよい。第一の虚弱線は、第一の層の総厚さの少なくとも約９０パーセントの深さを持つことが好ましい。第一の虚弱線は、第一の層の総厚さの約１００パーセントの深さを持つことがより好ましい。虚弱線が形成された後で、任意の適切なパーセンテージの材料が第一の虚弱線に沿って残りうる。虚弱線が形成された後で、約５パーセント〜約２５パーセントの第一の層の材料が第一の虚弱線に沿って残ることが好ましい。
【００３０】
第一の領域はまた、第一の領域内に配置されたアクセス開口部（それを通して消費財を取り出すことができる）を画定する第二の層内に形成された第二の虚弱線を含みうる。アクセス開口部は、フラップが閉位置にある時に、第一の層中に形成されたフラップによって覆われる。さらに、アクセス開口部は、第一の層のフラップが開位置にある時に、少なくとも部分的に覆われない。一つ以上の実施形態において、アクセス開口部は、フラップが開位置にある時に、全く覆われない。フラップが開位置にある時に、フラップに取り付けられた第二の層の部分は、第二の虚弱線に沿って内側パッケージから分離され、アクセス開口部を露呈させる。
【００３１】
第二の虚弱線は、任意の適切な形状または複数の形状の組み合わせを取って、アクセス開口部を画定しうる。第二の虚弱線は、連続的であっても非連続的（例えば、穿孔された）であってもよい。さらに、第二の虚弱線は、任意の適切な技法または複数の技法の組み合わせ、例えばレーザー切断または機械的切断（例えば、ダイ切断、キス切断）を使用して形成されてもよい。第二の虚弱線は、第二の層の内表面と外表面に横断する方向に任意の適切な深さを含んでもよい。第二の虚弱線は、第二の層の総厚さの約９０パーセントの深さを持つことが好ましい。第二の虚弱線は、第二の層の総厚さの約１００パーセントの深さを持つことがより好ましい。第二の虚弱線が形成された後で、任意の適切なパーセンテージの材料が第二の虚弱線に沿って残りうる。第二の虚弱線が形成された後で、約５パーセント〜約２５パーセントの第二の層の材料が第二の虚弱線に沿って残ることが好ましい。
【００３２】
内側パッケージはまた、第一の領域に隣接した第二の領域を含む。第二の領域はまた、内側パッケージの長軸方向軸に沿って延びる。第二の領域は、任意の適切な形状または複数の形状の組み合わせを取り、かつ任意の適切な寸法を持ちうる。第二の領域は、横断方向に測定した約２ｍｍ〜約２０ｍｍの幅を持つことが好ましい。一つ以上の実施形態において、第二の領域は第一の層のみを含み、第二の層を含まない。
【００３３】
一つ以上の実施形態において、内側パッケージはまた、内側パッケージの長軸方向軸に沿って延びる第一の領域に隣接した第三の領域を含みうる。こうした実施形態において、第一の領域は第二の領域と第三の領域の間に配置されうる。第三の領域は第一の層のみを含み、第二の層を含まない。第三の領域は、任意の適切な形状または複数の形状の組み合わせを取り、かつ任意の適切な寸法を持ちうる。第三の領域は、横断方向に測定した約２ｍｍ〜約２０ｍｍの幅を持つことが好ましい。
【００３４】
内側パッケージを形成する材料の第二の層は、内側パッケージが組み立てられた構成にある時に、内側パッケージの任意の適切な部分上に延びうる。第二の領域は、組み立てられた内側パッケージの前部壁と、第一の側壁および第二の側壁の一方または両方の少なくとも一部分の上に延びることが好ましい。第二の層は、組み立てられた内側パッケージの前部壁の上に、および第一の側壁と第二の側壁の一方または両方の一部分のみの上に延びることがより好ましい。言い換えれば、内側パッケージを形成する材料の第二の層は、内側パッケージが組み立てられた構成にある時に、任意の適切な部分または内側パッケージの部分内に存在しうる。第二の層は、第一の側壁および第二の側壁の一方または両方内に配置された、シールされた部分内には延びないことが好ましくありうる。
【００３５】
第一の層の外表面の少なくとも一部分は、ボックスの後方壁の内表面の対応する部分に永久的に貼り付けられてもよい。第一の層の外表面のこの部分をボックスの後方壁に貼り付けるために、任意の適切な技法または複数の技法の組み合わせが利用されうる。永久接着剤を利用して、第一の層の外表面の一部分をボックスの後方壁に取り付けることが好ましい。さらに、第一の層の外表面の少なくとも一部分は、ボックスの前部壁の内表面の対応する部分に永久的に貼り付けられてもよい。ここでも、任意の適切な技法または複数の技法の組み合わせを利用して、例えば第一の層の外表面を永久接着剤でボックスの前部壁の内表面に付着させることによって、第一の層の外表面のこの部分をボックスの前部壁の内表面に取り付けてもよい。
【００３６】
第一の虚弱線によって画定されるフラップは、容器のハウジングのリッドの内表面に取り付けられてもよい。例えば、機械的留め具、接着剤、熱接着または超音波接着、およびその組み合わせである、任意の適切な技法または複数の技法の組み合わせを利用して、フラップをリッドの内表面に取り付けてもよい。フラップは接着剤を使用してリッドの内表面に取り付けられることが好ましい。接着剤は任意の適切な接着剤または複数の接着剤の組み合わせとしうる。第二の接着剤は永久接着剤であることが好ましい。フラップの任意の適切な部分をリッドの内表面に取り付けてもよい。一つ以上の実施形態において、フラップを形成する第一の層の外表面の一部分がリッドの内表面に取り付けられる。一つ以上の実施形態において、フラップを形成する第一の層の内表面の一部分がリッドに取り付けられる。
【００３７】
フラップは、フラップが閉位置にある時に、第二の層に再び取り付けられるよう適合される。第二の層を第一の層に取り付けるのに使用されるのと同じ接着剤を、フラップと第二の層の間に配置して、フラップが閉位置にある時にフラップを第二の層に再び取り付けてもよい。一つ以上の実施形態において、別のまたは追加の接着剤または複数の接着剤を、アクセス開口部の周囲に沿って、第二の層の少なくとも一部分に沿って配置して、閉位置にある時にフラップを第二の層に取り付けることができるようにしてもよい。アクセス開口部の周辺に沿った第二の層のこの部分は、第二の層の封止領域を画定する。封止領域の少なくとも一部分は、フラップが閉位置にある時に、フラップと重なる。フラップと第二の層の間に配置された接着剤は、フラップの繰り返しの開閉を許容して、フラップが開位置にある時に内側パッケージ内に配置された消費財の出し入れを可能にし、フラップが閉位置にある時に消費財が内側パッケージ内に封じられたままとなるようにする。フラップと第二の層の間に配置された接着剤は、パッケージが空になるまで消費者が内側パッケージを開いたり再び封じたりすることができるように、少なくとも内側パッケージ内に消費財がある回数だけフラップを再び取り付けるのに十分な付着性を提供することが好ましい。
【００３８】
フラップが閉位置にある時にアクセス開口部がフラップによって覆われるように、フラップが内側パッケージのアクセス開口部の面積よりも大きい面積を有することが好ましい。フラップを画定する第一の虚弱線は、第二の層の封止領域を露呈する。封止領域は任意の適切な寸法を有してもよい。例えば、一つ以上の実施形態において、封止領域が、アクセス開口部の周囲から第一の虚弱線に延びる一定の幅を有してもよい。一つ以上の実施形態において、封止領域は、アクセス開口部の周囲に沿って変動する幅を有してもよい。封止領域の平均幅は、約２ｍｍ〜約５ｍｍであることが好ましい。封止領域の表面積は、アクセス開口部の面積の約２５パーセント〜約３００パーセントであることが好ましい。封止領域の表面積は、アクセス開口部の面積の約２５パーセント〜約６５パーセントであることがより好ましい。
【００３９】
容器は、内側パッケージを形成する材料の第一の層内に画定されたフラップの上に配置される接着ラベルをさらに含みうることが好ましい。接着ラベルがフラップを覆い、かつフラップおよびラベルの両方がアクセス開口部をシールするように追加的なシールを提供するように、接着ラベルは第一の層に取り付けられうる。一つ以上の実施形態において、接着ラベルはリッドの内表面に取り付けられうる。一つ以上の実施形態において、フラップおよび接着ラベルの両方がリッドの内表面に取り付けられうる。
【００４０】
一つ以上の実施形態において、内側パッケージは、内側パッケージの第一の層の外表面上に配置された装飾用または情報用の接着ラベルを含みうる。接着ラベルは、任意の適切な材料または複数の材料を含むことができ、任意の適切な寸法を持ちうる。さらに、接着ラベルは、第一の層の外表面の任意の適切な場所に配置されうる。一つ以上の実施形態において、接着ラベルはラベルの外表面上に配置されたしるしを含むことができ、ラベルは消費者に見えるように第一の層の外表面上の場所に配置されうる。
【００４１】
内側パッケージは、容器を初めて開くまでは、第一および第二の虚弱線に沿ってより確実に封じられうる。これによって、容器内に含まれている消費財の貯蔵寿命を延長しうる。
【００４２】
内側パッケージは、予め組み立てられた内側パッケージから形成されうる。予め組み立てられた内側パッケージは、第一の層と、第一の層の内表面に取り付けられた第二の層とを含む材料から形成されうる。第一の領域は長軸方向軸に沿って延びることができ、第一および第二の層を含む。第一の領域は、フラップを画定する第一の層内に配置された第一の虚弱線と、第一の領域内に配置されたアクセス開口部を画定する第二の層内に配置された第二の虚弱線とを含みうる。アクセス開口部は、フラップが閉位置にある時に、フラップによって覆われうる。さらに、アクセス開口部は、フラップが開位置にある時に、少なくとも部分的に覆われない。予め組み立てられた内側パッケージはまた、長軸方向軸に沿って延びる第一の領域に隣接した第二の領域を含みうる。第二の領域は第一の層のみを含むことができ、第二の層を含まない。予め組み立てられた内側パッケージはまた、第一の領域に隣接して長軸方向軸に沿って延びる第三の領域を含むことが好ましい。第一の領域は、第二の領域と第三の領域の間に配置される。第三の領域は第一の層のみを含み、第二の層を含まない。一つ以上の実施形態において、第一の領域は、予め組み立てられた内側パッケージの全長にわたり長軸方向に延びる。一つ以上の実施形態において、第一の領域は、予め組み立てられた内側パッケージの第一の横断部分と第二の横断部分の間を長軸方向に延びる。第一の横断部分と第二の横断部分はそれぞれ、第一の層のみを含み、第二の層を含まない。第一の横断部分と第二の横断部分は、任意の適切な形状または複数の形状の組み合わせを取りうるとともに、任意の適切な寸法を持つ。予め組み立てられた内側パッケージの材料は、任意の適切な数の横断部分を含みうる。
【００４３】
容器はまた、ボックス内に配置された一つ以上の内側フレームを含んでもよい。内側フレームは、内側パッケージとボックスの前部壁の間に配置されるか、内側パッケージ内に配置されてもよい。一つ以上の実施形態において、第一の内側フレームは内側パッケージとボックスの前部壁の間に配置されることができ、第二の内側フレームは内側パッケージ内に配置されうる。内側パッケージ内に配置される時、内側フレームは、内側パッケージの前部壁が内側フレームとボックスの前部壁の間となるよう位置付けられる。内側フレームは前部壁および一対の対向する側壁を含む。内側フレームはＵ字形状であることが好ましい。本明細書で使用される「Ｕ字形状」という用語は、少なくとも３つの部分を含む形状を意味し、ここで第一の部分および第三の部分は相互に平行であり、第二の部分と直角を成す同一の方向に延びる。
【００４４】
内側フレームの前部壁は、内側パッケージの前部壁が内側フレームの前部壁とボックスの前部壁の間にあるように配置されることが好ましい。有利なことに、内側パッケージの前部壁に隣接して提供される大きな表面積を有する内側フレームは、容器の構造的強度を増大する。内側フレームによって提供される増大した構造強度によって、フラップがより確実に閉じられる。これは、その後の容器が完全に充填されていない時に閉じる作業において、特に有利である。
【００４５】
内側フレームは前部壁の上部に切り抜きを含むことが好ましい。切り抜きはアクセス開口部に実質的に対応することが好ましく、また内側パッケージ内の消費財の出し入れをより容易に行えるように提供される。内側フレームが切り抜きを含む場合、内側フレームの高さは内側フレームの底部から切り抜きまでの距離として画定される。
【００４６】
内側フレームは一つ以上の補強要素を含んでもよい。一つ以上の補強要素に接着剤が含まれ、この接着剤が内側フレームと内側パッケージを補強することが好ましい。別の方法として、一つ以上の補強要素は、内側フレームに貼り付けられる少なくとも一つの材料の層（例えば、内側フレームの製造に利用される厚紙と類似の厚紙など）を含みうる。この別の方法において、少なくとも一つの追加の材料の層は、内側フレームに永久的に貼り付けられる。少なくとも一つの追加の層は細長いことが好ましい。内側フレームがＵ字型である場合、少なくとも一つの追加の材料の層は、内側フレームの前部壁の外表面に貼り付けられることが好ましい。少なくとも一つのさらなる層は、内側フレームの上部に隣接して貼り付けられることが好ましい。
【００４７】
リッドおよび少なくとも一つの側壁を含むカートンは、本明細書に記述される複数の容器を収容することができる。
【００４８】
「第一の領域に隣接した」という語句は、第二の領域および第三の領域の一方または両方が第一の領域の横にあるかまたは隣接することを意味する。
【００４９】
容器または内側パッケージの構成要素の相対的位置を描写するために使用される「前部」、「後部」、「上の」、「下の」、「側部」、「上部」、「底部」という用語は、上部端でリッドを有し、前部の上端から出し入れ可能な消費財を有する、直立位置にある容器または内側パッケージについて言及するものである。「左」および「右」という用語は、容器および内側パッケージをその直立位置で前部から見た時の容器または内側パッケージの側壁に言及して使用されうる。
【００５０】
「内表面」という用語は本明細書において、容器が閉位置にある時に、その容器の内部に面する（例えば、消費財に面する）組み立てられた容器の構成要素の表面を意味するために使用される。
【００５１】
「長軸方向軸」という用語は本明細書において、内側パッケージまたは予め組み立てられた内側パッケージの上部壁と底部壁の間に延びる内側パッケージまたは予め組み立てられた内側パッケージの軸を描写するために使用される。
【００５２】
「外表面」という用語は本明細書において、容器の外側に面する容器の構成要素の表面を意味するために使用される。例えば、一つ以上の実施形態において、容器は、容器の外側ハウジングに面する外表面と、容器の内側パッケージに面する内表面とを含む内側フレームを含む。
【００５３】
本明細書で使用されるすべての科学的および技術的な用語は、別途指定のない限り、当業界で一般に使用される意味を持つ。本明細書で提供した定義は、本明細書で頻繁に使用される特定の用語の理解を容易にするために提供されている。
【００５４】
ここで本発明の一部の態様が図示されている図面を参照する。
【図面の簡単な説明】
【００５５】
【図１】図１は、容器がハウジングと、ハウジング内に配置された内側パッケージとを含む、開位置にあるリッドを含む容器の概略斜視図である。
【図２】図２は、図１の容器の概略側面断面図である。
【図３】図３は、リッドが閉位置にある図１の容器の概略斜視図である。
【図４】図４は、図１の内側パッケージの概略斜視図である。
【図５】図５は、図１の内側パッケージの一部分の概略断面図である。
【図６】図６は、図１の内側パッケージの一部分の概略平面図である。
【図７】図７は、予め組み立てられた内側パッケージの概略平面図である。
【図８】図８は、内側フレームの概略平面図である。
【発明を実施するための形態】
【００５６】
図１を参照すると、消費財用の容器１０の一実施形態の概略斜視図が図示されている。容器は、ボックス１４と、ヒンジ線（図示せず）によってボックスにヒンジ止めされたリッド２０とを含む、ハウジング１２を含む。ヒンジ線は、容器１０のボックス１４の後部１８を横切って延び、リッド２０が閉位置（図３）から、図１に示す通り開位置に移動することを可能にするよう機能する。内側パッケージ３０はハウジング１２の中に配置される。内側パッケージ３０は、消費財を収容するための内部容積を少なくとも部分的に画定する。内側パッケージ３０は、容器を初めて開くまで消費財を密封封止するためのバリア材料（複数可）からできている。バリア材料は、金属箔またはプラスチックおよび金属の積層体であってもよい。
【００５７】
図４〜６を参照すると、内側パッケージ３０は、上部壁３８、底部壁３９、上部壁と底部壁の間に延びる前部壁および後部壁３２、３４、第一の側壁３６、および第二の側壁３７を含み、それぞれの側壁は前部壁と後部壁の間に配置される。内側パッケージ３０は、第一の層４０と、第一の層４０の内表面４６に取り付けられた第二の層５０とを含む材料３１から形成される（図５）。図５〜６に図示した通り、内側パッケージ３０はまた、長軸方向軸２に沿って延びる第一の領域８０を含む。第一の領域８０は、材料３１の第一および第二の層４０、５０を含む。第一の領域８０はまた、フラップ４４を画定する第一の層４０内に配置された第一の虚弱線４２を含む。第一の領域８０はまた、第一の領域内に配置されたアクセス開口部５４（それを通して消費財（図示せず）を取り出すことができる）を画定する第二の層５０内に配置された第二の虚弱線５２を含む。アクセス開口部５４は、フラップが閉位置にある時に、フラップ４４によって覆われる（図３）。さらに、アクセス開口部５４は、フラップ４４が開位置にある時に、少なくとも部分的に覆われない（図１〜２）。
【００５８】
内側パッケージ３０はまた、長軸方向軸２に沿って延びる第一の領域８０に隣接した第二の領域８２を含む。第二の領域８２は、第一の層４０のみを含み、第二の層５０を含まない。内側パッケージ３０はまた、第一の領域８０が第二の領域８２と第三の領域８４の間に配置されるように、第一の領域８０に隣接した第三の領域８４を含む。第三の領域８４はまた、長軸方向軸２に沿って延びる。第三の領域８４は、第一の層４０のみを含み、第二の層５０を含まない。
【００５９】
フラップ４４は、ヒンジ線４９に沿って第一の層４０に取り付けられる（図２）。リッドを開口すると、フラップおよびフラップに取り付けられた第二の層５０の部分５５（図１）が内側パッケージ３０からそれぞれ第一の虚弱線４２および第二の虚弱線５２に沿って分離され、アクセス開口部５４が露呈するように、フラップ４４はまた、リッド２０の内表面２２（図２）に取り付けられる。
【００６０】
容器１０はまた、内側パッケージ３０内に配置された内側フレーム７０を含む。内側フレーム７０は、内側フレームとボックス１４の前部壁１６の内表面１７（図２）との間に配置された補強要素７２を含んでもよい。
【００６１】
図２を参照すると、図１の容器１０の概略断面図が、開位置におけるリッド２０とフラップ４４とともに図示されている。内側パッケージ３０はハウジング１２のボックス１４内に配置された状態で図示され、内側フレーム７０は内側パッケージ内に配置される。一つ以上の実施形態において、フラップ４４はリッド２０に取り付けられる。開位置では、フラップ４４はＳ字形状を形成する。容器１０の幾何学的形状は、フラップ（およびリッド２０）が閉位置に戻る時にフラップ４４が自動的に内側パッケージ３０に再密封されるようにされる。
【００６２】
内側パッケージ３０の第一の層４０の外表面４８の少なくとも一部分は、ボックス１４の後方壁１８の内表面１９の対応する部分に永久的に貼り付けられ、これによって、第一の領域２４のボックスの後方壁の内表面に内側パッケージを貼り付ける。さらに、内側パッケージ３０の第一の層４０の外表面４８の少なくとも一部分は、ボックス１４の前部壁１６の内表面１７の対応する部分に永久的に貼り付けられ、これによって、第二の領域２６のボックスの前部壁の内表面に内側パッケージを貼り付ける。内側パッケージ３０の少なくとも一部分をボックス１４の前部壁１６と後方壁１８の一方または両方に永久的に貼り付けることで、内側パッケージの構造的弾性がさらに向上されうる。内側パッケージ３０は、例えばホットメルト接着剤、溶剤型接着剤、水性接着剤、無溶剤接着剤、感圧接着剤、導電型シーリング、および誘導型シーリングを用いて、永久的に貼り付けられてもよい。好ましい実施形態において、内側パッケージ３０は、ホットメルト接着剤を用いてボックス１４に永久的に取り付けられる。
【００６３】
図３を参照すると、図１の容器１０の概略斜視図が図示されている。容器１０のリッド２０および内側パッケージ３０のフラップ４４は、閉位置にある。フラップ４４は、フラップが閉位置にある時に、第二の層５０（図５）に取り付けられる。
【００６４】
図４を参照すると、図１の内側パッケージ３０の概略斜視図が図示されている。一つ以上の実施形態において、内側パッケージ３０はまた、フラップがリッド２０の内表面２２に取り付けられるように、フラップ４８上に配置された接着剤９４を含む（図２）。内側パッケージ３０は、第一の側壁３６上にシールされた部分９０をさらに含む。図に示されていないが、内側パッケージ３０はまた、第二の側壁３７上に配置された追加的なシールされた部分を含みうる。シールされた部分９０は、折り畳み部を所定位置に保持するために、内側パッケージ３０の材料３１の折り畳み部９２内に配置されうる。内側パッケージ３０の折り畳み部９２は封筒折りである。内側パッケージ３０の材料３１の第二の層５０は、シールされた部分９０には延びない（図６）。
【００６５】
図５を参照すると、図１の内側パッケージ３０の一部分の概略断面図が図示されている。内側パッケージ３０の第一の領域８０は、フラップ４４を画定する第一の層４０内に配置された第一の虚弱線４２を含む。第二の層５０は、接着剤６０によって第一の層４０の内表面４６に取り付けられる。第一の領域８０は、第一の領域に配置されたアクセス開口部５４を画定する第二の層５０内に配置された第二の虚弱線５２を含む。図５に示す通り、アクセス開口部５４は、フラップが閉位置にある時に、フラップ４４によって覆われる。フラップ４４は、フラップが閉位置にある時に、第二の層５０に取り付けられるよう適合される。
【００６６】
封止領域６２は、第一の虚弱線４２と第二の虚弱線５２の間に形成される。フラップ４４は、アクセス開口部５４を封止領域６２内に重ね合わせて、フラップが閉位置にある時に封止領域内でフラップが第二の層５０に取り付けられるように適合される。一つ以上の実施形態において、封止領域６２は、アクセス開口部５４の周囲に沿って、一定の幅を有する。一つ以上の実施形態において、封止領域６２は、アクセス開口部５４の周囲に沿って、変動する幅を有する。
【００６７】
内側パッケージ３０はまた、フラップが閉位置から開位置に移動した時に、フラップ４４に取り付けられたままである第二の層５０の部分５５を含む。言い換えれば、フラップ４４を開けると（図１〜２）、フラップおよびフラップに取り付けられた第二の層５０の部分５５は、それぞれ第一および第二の虚弱線４２、５２に沿って内側パッケージ３０から分離され、アクセス開口部５４が露呈する。
【００６８】
図６を参照すると、図１の内側パッケージ３０の一部分の概略平面図が図示されている。折り目９６および９８は、第一および第二の側壁３６、３７の両方に封筒折りを提供するために形成され、その部分が図６に図示されている。折り目９６、９８は、内側パッケージ３０の前部壁３２と側壁３６、３７の間、または後部壁３４と側壁の間に配置されうる。第一および第二の側壁３６、３７内に形成される封筒折り（例えば、図４の封筒折り９０）のタブは、まとめて取り付けられて第一の側壁３６（図４）内のシールされた部分９２、および第二の側壁３７内のシールされた部分（図示せず）を形成しうる。一つ以上の実施形態において、第二の層５０の第一の端５８は、第一の側壁３６内の折り目９６まで延びない。さらに、第二の層５０の第二の端５９は、第二の側壁３７内の折り目９８まで延びない。その結果、第二の層５０は、第一および第二の側壁３６、３７内で封筒折りのタブがまとめて取り付けられた時に形成されるシールされた部分までは延びない。
【００６９】
図７を参照すると、予め組み立てられた内側パッケージ１００の概略平面図が図示されている。予め組み立てられた内側パッケージ１００は長軸方向軸１０２に沿って延び、また第一の層１４０と、第一の層の内表面に取り付けられた第二の層１５０とを含む材料から形成される（図示せず）。予め組み立てられた内側パッケージ１００は、長軸方向軸１０２に沿って延び、かつ第一および第二の層１４０、１５０を含む第一の領域１８０をさらに含む。第一の領域１８０は、フラップ１４４を画定する第一の層１４０内に配置された第一の虚弱線１４２と、第一の領域内に配置されたアクセス開口部１５４を画定する第二の層１５０内に配置された第二の虚弱線１５２とをさらに含む。アクセス開口部１５４は、フラップが閉位置にある時に、フラップ１４４によって覆われ、またアクセス開口部は、フラップが開位置にある時に、少なくとも部分的に覆われない。予め組み立てられた内側パッケージ１００はまた、長軸方向軸１０２に沿って延びる第一の領域１８０に隣接した第二の領域１８２を含む。第二の領域１８２は、第一の層１４０のみを含み、第二の層１５０を含まない。予め組み立てられた内側パッケージ１００はまた、第一の領域１８０が第二の領域１８２と第三の領域１８４の間に配置されるように、長軸方向軸１０２に沿って延びる第一の領域１８０に隣接した第三の領域１８４を含む。第三の領域１８４は、第一の層１４０のみを含み、第二の層１５０を含まない。
【００７０】
第一の領域１８０は、予め組み立てられた内側パッケージ１００の全長にわたり長軸方向に延びうる。一つ以上の実施形態において、第一の領域１８０は、第一の横断部分１８６と第二の横断部分１８８の間を長軸方向に延びる。第一および第二の横断部分１８６、１８８はそれぞれ、第一の層１４０のみを含み、第二の層１５０を含まない。
【００７１】
図７に図示する予め組み立てられた内側パッケージ１００はまた、組み立てられる時に内側パッケージの前部壁（例えば図４の内側パッケージ３０の前部壁３２）を形成する前部壁パネル１０１と、組み立てられる時に内側パッケージの後部壁（例えば、図４の内側パッケージ３０の後部壁３４）を形成する二つの壁パネル１０４と１０６、上部壁パネル１０８と、底部壁パネル１１０とを含む。予め組み立てられた内側パッケージ１００はまた、側壁（例えば、図４の第一および第二の側壁３６、３７）を形成する複数の側壁パネル１１８を含む。図７で分かる通り、第二の虚弱線１５２は、アクセス開口部１５４が上部壁パネル１０８および前部壁パネル１０２の部分を横切って画定されるように、予め組み立てられた内側パッケージ１００上に配置される。予め組み立てられた内側パッケージ１００はまた、補強要素１１９を含みうる。補強要素１１９は、図１〜２の内側フレーム７０に関して本明細書に記載した任意の適切な補強要素を含みうる。
【００７２】
図８は、予め組み立てられた内側フレーム１２０を図示する。本明細書に記載の通り、内側フレーム１２０は前部壁１２２と、二つの対向する側壁１２４および１２６とを含む。前部壁１２２の外表面には、補強要素１２８が備えられる。本明細書に記載の通り、切り欠き１３０は、内側フレームの前部壁パネルの上部に提供される。切り抜き１３０は、容器内に収容された消費財の出し入れをより容易にすることを可能にするように提供される。切り抜き１３０は、内側パッケージ３０内に提供されたアクセス開口部５４（図１）と整合するように提供される。
【００７３】
上記図面中の点線は折り目を示す。
【図１】
2018535154.tif 000003
【図２】
2018535154.tif 000004
【図３】
2018535154.tif 000005
【図４】
2018535154.tif 000006
【図５】
2018535154.tif 000007
【図６】
2018535154.tif 000008
【図７】
2018535154.tif 000009
【図８】
2018535154.tif 000010
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
消費財のための容器であって、
ボックスおよび前記ボックスにヒンジ式で取り付けられたリッドを備え、前記ボックスが前部壁および後方壁を含む、ハウジングと、
前記ハウジング内に配置され、かつ前記消費財を収容するための内部容積を少なくとも部分的に画定する内側パッケージであって、前記内側パッケージが第一の層および前記第一の層の内表面に取り付けられた第二の層を備える材料で形成され、また前記内側パッケージが、
第一の側壁および第二の側壁と、
前記内側パッケージの前記材料の折り畳み部内に配置された前記第一および第二の側壁のうち少なくとも一つ内にあるシールされた部分と、
前記内側パッケージの長軸方向軸に沿って延び、かつ予め組み立てられた時に前記内側パッケージの全長にわたり長軸方向に延びる第一の領域であって、前記第一の領域が前記第一および第二の層を備え、前記第一の領域が、フラップを画定する前記第一の層内に配置された第一の虚弱線と、前記第一の領域内に配置されたアクセス開口部（それを通して前記消費財を取り出せる）を画定する前記第二の層内に配置された第二の虚弱線とをさらに備え、また前記フラップが閉位置にある時に前記アクセス開口部が前記フラップによって覆われ、またさらに前記フラップが開位置にある時に前記アクセス開口部が少なくとも部分的に覆われず、前記フラップが前記リッドの内側表面に取り付けられる、領域と、
前記第一の領域に隣接し、かつ前記長軸方向軸に沿って延びる第二の領域であって、前記第二の領域が前記第一の層のみを含み、前記第二の層を含まず、前記第二の層が前記シールされた部分には延びない、領域とを備えるものとを備える、容器。
【請求項２】
前記フラップが前記リッドの内表面に取り付けられ、前記リッドを開口すると、前記フラップおよび前記フラップに取り付けられた前記第二の層の部分が、それぞれ前記第一および第二の虚弱線に沿って前記内側パッケージから分離され、前記アクセス開口部を露呈する、請求項１に記載の容器。
【請求項３】
前記フラップが前記リッドの前記内表面に永久接着剤で取り付けられる、請求項２に記載の容器。
【請求項４】
前記内側パッケージが、上部壁、底部壁、前記上部壁と底部壁の間を前記長軸方向軸に沿って延びる前部壁および後部壁、ならびにそれぞれ前記前部壁と後部壁の間に配置された前記第一および第二の側壁をさらに備え、前記第一の領域内に配置された前記アクセス開口部が前記内側パッケージの前記上部壁および前記前部壁の部分を横切って画定される、請求項１〜３のいずれか一項に記載の容器。
【請求項５】
前記内側パッケージが前記前部壁と少なくとも一つの側壁との間に配置された折り目を備え、またさらに前記第二の層が前記シールされた部分に延びない、請求項１〜４のいずれか一項に記載の容器。
【請求項６】
前記第二の層が剥離可能な接着剤によって前記第一の層の前記内表面に取り付けられる、請求項１〜５のいずれか一項に記載の容器。
【請求項７】
前記剥離可能な接着剤が感圧型接着剤を含む、請求項６に記載の容器。
【請求項８】
前記内側パッケージが、前記第一の虚弱線と前記第二の虚弱線の間に形成される封止領域をさらに備え、前記フラップが前記閉位置にある時に、前記フラップが前記封止領域内の前記第二の層に取り付けられるように、前記アクセス開口部が前記封止領域内に重なるように前記フラップが適合される、請求項１〜７のいずれか一項に記載の容器。
【請求項９】
前記封止領域が前記アクセス開口部の周囲から前記第一の虚弱線まで延びる平均幅を含み、前記平均幅が約２ｍｍ〜約５ｍｍである、請求項８に記載の容器。
【請求項１０】
前記内側パッケージの前記第一の層の外表面の少なくとも一部分が、前記ボックスの前記後方壁の内表面の対応する部分に永久的に貼り付けられる、請求項１〜９のいずれか一項に記載の容器。
【請求項１１】
前記内側パッケージの前記第一の層の前記外表面の少なくとも一部分が、前記ボックスの前記前部壁の内表面の対応する部分に永久的に貼り付けられる、請求項１〜１０のいずれか一項に記載の容器。
【請求項１２】
前記ボックス内に配置されている内側フレームをさらに備え、前記内側フレームが前部壁および一対の向かい合った側壁を備える、請求項１〜１１のいずれか一項に記載の容器。
【請求項１３】
請求項１２に記載の容器であって、
前記内側フレームが前記ボックスの前記前部壁と前記内側パッケージの間に配置されるか、または
前記内側フレームが前記内側パッケージ内に配置される、容器。
【請求項１４】
前記内側パッケージによって画定される前記内部容積に収容される消費財をさらに備える、請求項１〜１３のいずれか一項に記載の容器。
【請求項１５】
前記消費財が喫煙物品である、請求項１〜１４のいずれか一項に記載の容器。
【請求項１６】
請求項１〜１５のいずれか一項に記載の容器を備えるカートン。
【請求項１７】
長軸方向軸に沿って延びる、予め組み立てられた内側パッケージであって、前記予め組み立てられた内側パッケージが第一の層と前記第一の層の内表面に取り付けられた第二の層とを備える材料から形成され、前記予め組み立てられた内側パッケージが、
組み立てられた時に内側パッケージの側壁を形成する多数の側壁パネルであって、前記側壁の少なくとも一つが、組み立てられた時に前記内側パッケージの前記材料の折り畳み部内に配置されたシールされた部分を含む、側壁パネルと、
前記長軸方向軸に沿って延び、かつ前記第一および第二の層を備える第一の領域であって、前記第一の領域が、前記予め組み立てられた内側パッケージの全長にわたり長軸方向に延び、前記第一の領域が、フラップを画定する前記第一の層内に配置された第一の虚弱線と、前記第一の領域内に配置されたアクセス開口部を画定する前記第二の層内に配置された第二の虚弱線とをさらに備え、前記フラップが閉位置にある時に前記アクセス開口部が前記フラップによって覆われ、またさらに前記フラップが開位置にある時に前記アクセス開口部が少なくとも部分的に覆われない、領域と、
前記第一の領域に隣接し、かつ前記長軸方向軸に沿って延びる第二の領域であって、前記第二の領域が前記第一の層のみを含み、前記第二の層を含まず、前記第二の層が前記シールされた部分内には延びない、領域とを備えるものとを備える、予め組み立てられた内側パッケージ。
【請求項１８】
前記第一の領域に隣接し、かつ前記長軸方向軸に沿って延びる第三の領域であって、前記第一の領域が前記第二の領域と前記第三の領域の間に配置され、また前記第三の領域が前記第一の層のみを含み、前記第二の層を含まない、領域をさらに備える、請求項１７に記載の予め組み立てられた内側パッケージ。
【請求項１９】
前記第一の領域が横断方向に測定した約２ｍｍ〜約２０ｍｍの幅を持つ、請求項１７〜１８のいずれか一項に記載の予め組み立てられた内側パッケージ。
【請求項２０】
請求項１７〜１９のいずれか一項に記載の前記予め組み立てられた内側パッケージであって、前記第二の虚弱線が、前記アクセス開口部が前記予め組み立てられた内側パッケージの上部壁パネルおよび前部壁パネルの部分を横切って画定されるように、前記予め組み立てられた内側パッケージ上に配置される、予め組み立てられた内側パッケージ。
【手続補正２】
【補正対象書類名】明細書
【補正対象項目名】全文
【補正方法】変更
【補正の内容】
【発明の詳細な説明】
【技術分野】
【０００１】
本発明は、再び封じることができる内側パッケージを備える消費財のための容器に関連する。この容器には、紙巻たばこなどの細長い喫煙物品のための容器としての特定の用途がある。
【背景技術】
【０００２】
紙巻たばこや葉巻たばこなどの喫煙物品は一般に、ボックスと、容器の後方壁を横切って延びるヒンジ線の周りにボックスに結合されたリッドとを持つ剛直なヒンジ・リッド型容器内にパッケージされる。こうしたヒンジ・リッド型容器は通常、一枚の層状の厚紙ブランクから構成される。使用時、リッドはヒンジ線を中心に回転して容器を開き、ボックス内に配置されている喫煙物品の束へのアクセスが得られる。
【０００３】
ボックス内に配置されている喫煙物品の束は通常、金属化紙、金属箔またはその他の柔軟なシート材料の内側ライナー内に包まれる。内側ライナー内の喫煙物品の束にアクセスするには、消費者は通常、ヒンジ・リッド型容器を初めて開く際に、内側ライナーの予め穿孔された上部を取り外して破棄する。
【０００４】
しかし、例えば水、湿度、香味および臭味の出入りに対する向上した保護を提供するためには、再び封じることができる実質的に気密なラッパーに喫煙物品の束を封入することが知られている。
【０００５】
例えば、欧州特許出願第ＥＰ−Ａ−０  ９４４  ５３９号は、画定されたアクセス開口部を内部に有するバリア材料の層のシールされた筐体内に喫煙物品が封入されている、喫煙物品のヒンジ・リッド式パックを開示している。アクセス開口部は、永久的に粘着性のある表面を持つカバー層によって覆われており、これは開口部を初めて開けた後で筐体を再封するために、バリア材料の層と係合されることができる。シールされた筐体の開口および再開口を助けるために、カバー層の底部端に非粘着性のタブが提供される。
【０００６】
国際特許出願第ＷＯ−Ａ−２００８／１４２５４０号は、カバーフラップの下側に塗られた不乾性で再粘着性の接着剤を使用して内側パッケージに固定されているカバーフラップによって閉じられている取り出し用開口部を備える内側パッケージ内に喫煙物品が封入されている、喫煙物品のヒンジ・リッド式パックを開示している。カバー層の底部タブの内表面または外表面は、リッドの開閉によってカバーフラップも同時に開閉されるように、ヒンジ・リッド式パックのリッドの内表面に永久的にかつ取り外しできないように接着される。
【０００７】
さらなる例として、国際特許出願第ＷＯ−Ａ−２０１１／００９５２０号は、内側パックであるシールされたブロックと、外側パックであるヒンジ・リッド式ボックスとを含む、喫煙物品用のパックを開示している。シールされたブロックは、内側ブランクまたは内側ブランクの外側層によって形成された作動用タブと、追加材料として内部に形成された開口用タブとを含む。開口用タブは、作動用タブの助けで開位置に移動し、このプロセスによって内側層の領域内にある取り出し用開口部が露呈される。
【発明の概要】
【０００８】
本発明の一つの目的は、内側パッケージの製造に利用される機械類への実質的な改造を必要とすることなく、容器の内側パッケージの一つ以上のシールの気密性を改善することである。
【０００９】
本発明の一つの態様において、消費財用の容器が説明されている。容器は、ボックスと、ボックスにヒンジで取り付けられたリッドとを含むハウジングを含み、ここでボックスは前部壁および後方壁を含む。容器はまた、ハウジング内に配置され、かつ消費財を収容するための内部容積を少なくとも部分的に画定する内側パッケージを備える。内側パッケージは、第一の層と、第一の層の内表面に取り付けられた第二の層とを含む材料で形成される。内側パッケージはまた、内側パッケージの長軸方向軸に沿って延び、第一および第二の層を含む第一の領域を含む。第一の領域はまた、フラップを画定する第一の層内に配置された第一の虚弱線と、第一の領域内に配置されたアクセス開口部（それを通して消費財を取り出すことができる）を画定する第二の層内に配置される第二の虚弱線とを含む。アクセス開口部は、フラップが閉位置にある時に、フラップによって覆われる。さらに、アクセス開口部は、フラップが開位置にある時に、少なくとも部分的に覆われない。内側パッケージはまた、長軸方向軸に沿って延びる第一の領域に隣接した第二の領域を含む。第二の領域は、第一の層のみを含み、第二の層を含まない。
【００１０】
現行のシール構造では、最終的なパックの品質および機能性は、リッドと自己粘着性ラベルの間の適切な粘着に依存し、ここでラベルは両面に複雑な構造またはレイアウトを持つ。言い換えれば、容器の内側パッケージの外表面に取り付けられた自己粘着性ラベルは、内側パッケージに剥離可能に取り付けられる必要がある。こうした複雑な構造は、内側パッケージを形成するのに利用される多層材料を含みうる。ところが、この多層材料は、多層のため厚さが増大し得るため、まとめてシールして内側パッケージを形成するのをより困難にし兼ねない。例えば、材料の複数の層をまとめてシールするには、追加的な労力が必要になる可能性があり、内側パッケージの折り目内に形成されるシール内にギャップができる可能性が増大しうる。さらに、こうした追加的な労力は、内側パッケージの材料を損傷し、最終的なパックの製造を遅らせることがある。
【００１１】
本発明の様々な態様は、現時点で入手可能であるかまたはこれまでに説明されている容器に対して一つ以上の利点を持ちうる。例えば、本明細書に記載した多層構造を含む内側パッケージによって、ユーザーは、パッケージの開口、パッケージ内部にある内容物の出し入れ、およびパッケージの再封ができるようになる。この多層構造は、パッケージの内容物の新鮮さを保つために開閉されうるシールされたパッケージを提供する、より対費用効果の高い方法を提供できる。さらに、多層構造は必要な要素をより少なくしながらも、容器の封着属性を改善する。折り目を含まない内側パッケージの領域または部分のみに多層構造を使用することで、パッケージを形成するのに必要な材料の量を低減させることができ、こうした折り目をシールするのに必要な労力の量を低減させることができ、また多層材料の折り畳み時に形成されうる折り目内のギャップをさせることができる。本発明の様々な態様のこれらおよびその他の利点は、本明細書の開示を読んで理解することにより当業者には明白であろう。
【００１２】
本発明は、消費財のための内側パッケージを含む任意の適切な容器に適用可能である。消費財（例えば、細長い喫煙物品）を、折り畳まれた層状ブランクから形成された容器内に包装することが知られている。例えば、紙巻たばこおよび葉巻たばこなどの細長い喫煙物品は一般に、喫煙物品を収容するボックスと、容器の後部壁を横切って延びるヒンジ線を中心としてボックスに接続されたリッドとを有する、ヒンジ・リッド式パック入りで販売される。ボックスは、ボックス前部壁、ボックス左側壁、ボックス右側壁、ボックス後部壁およびボックス底部壁を含みうる。リッドは、リッド前部壁、リッド左側壁、リッド右側壁、リッド後部壁およびリッド上部壁を含みうる。
【００１３】
容器内の消費財は、内側ライナー内に包まれうる。内側ライナーおよび消費財は共に、内側パッケージを形成する。容器はまた、内側パッケージ内、内側パッケージとボックスの間、または内側パッケージ内および内側パッケージとボックスの間の両方に配置された一つ以上の内側フレームを含むことができる。初めて開く前に、充填された容器は、外側ラッパー内に包まれた状態でありうる。
【００１４】
容器は、消費財を収容するために任意の適切な形状を取りうる。例えば、既に述べた通り、容器は、消費財を収容するボックスに接続された一つ以上のヒンジ留めされたリッドを持つヒンジ・リッド型容器としうる。一つ以上の実施形態において、容器は、外側シェル内に取り付けられた消費財を収容するための内側スライドを持つ、スライド・アンド・シェル容器であってもよい。容器がスライド・アンド・シェル容器である場合、外側シェルまたは内側スライドは一つ以上のヒンジ・リッドを含んでもよい。容器、内側フレーム、内側パッケージおよび外側ラッパーは、厚紙、ボール紙、プラスチック、金属、またはその組み合わせを含むがこれに限定されない、任意の適切な材料から形成しうる。厚紙の重さは、約１００グラム／平方メートル〜約３５０グラム／平方メートルとしうる。
【００１５】
本発明による容器は、長軸方向の直角の端および横断方向の直角の縁を持つ直方体の形状とすることができる。別の方法として、容器は、一つ以上の長軸方向の丸みのある端部、横断方向の丸みのある端部、長軸方向の面取りされた端部、または横断方向の面取りされた端部、またはその組み合わせを含んでもよい。例えば、本発明による容器は以下の特徴のうちの一つ以上を含んでもよいが、これに限定されない。
・前部壁および後部壁のうちの少なくとも一つの上の一つまたは二つの長軸方向の丸みのあるまたは面取りされた端部。
・前部壁および後部壁のうちの少なくとも一つの上の一つまたは二つの横断方向の丸みのあるまたは面取りされた端部。
・前部壁上の一つの長軸方向の丸みのある端部および一つの長軸方向の面取りされた端部、または後部壁上の一つの横断方向の丸みのある端部および一つの横断方向の面取りされた端部。
・前部壁上の一つの長軸方向の丸みのある端部および一つの長軸方向の面取りされた端部、および後部壁上の一つの横断方向の丸みのある端部および一つの横断方向の面取りされた端部。
・前部壁上の一つまたは二つの横断方向の丸みのある端部または面取りされた端部、および前部壁上の一つまたは二つの長軸方向の丸みのある端部または面取りされた端部。
・第一の側壁上の二つの長軸方向の丸みのある端部または面取りされた端部、または第二の側壁上の二つの横断方向の丸みのある端部または面取りされた端部。
【００１６】
容器が一つ以上の丸みのある端部を含む場合、容器を形成するブランクは、組み立てられた容器内にそれぞれの丸みのある端部を形成するための、３本、４本、５本、６本、または７本の横罫線または縦罫線を含むことが好ましい。横罫線または縦罫線は、容器の内側、または容器の外側のいずれにあってもよい。横罫線または縦罫線は、互いに約０．３ｍｍ〜４ｍｍの間隔を持つことが好ましい。
【００１７】
縦罫線または横罫線の間隔は、層状ブランクの厚さの関数であることが好ましい。縦罫線または横罫線の間隔は、層状ブランクの厚さの約０．５〜約４倍であることが好ましい。
【００１８】
容器が一つ以上の面取りされた端部を含む場合、面取りされた端部の幅は、約１ｍｍ〜約１０ｍｍであることが好ましく、約２ｍｍ〜約６ｍｍであることが好ましい。一つ以上の実施形態において、容器は、二つの明確な面取りが容器の端の上に形成されるように間隔を置いた、３本の平行な縦罫線または横罫線によって形成された二重面取りを備えてもよい。容器が面取りされた端部を含む場合、面取りは、容器を形成する層状ブランクにある２本の平行な縦罫線または横罫線によって形成されてもよい。縦罫線または横罫線は、第一の壁と第二の壁との間の端に対して対称的に配置されてもよい。別の方法として、縦罫線または横罫線は、面取りが容器の第二の壁の中に達するよりも容器の第一の壁の中に深く達するように、第一の壁と第二の壁の間の端に対して非対称的に配置しうる。
【００１９】
別の方法として、容器は、例えば多角形（三角形または六角形など）、または楕円形、半楕円形、円形または半円形といった、非長方形の横断断面を持ちうる。
【００２０】
本発明による容器は、細長い喫煙物品（例えば、紙巻たばこ、葉巻たばこ、またはシガリロなど）用のパックとしての特定の用途がある。当然のことながら、その寸法を適切に選択することにより、本発明による容器は、異なる数の従来サイズ、キングサイズ、スーパーキングサイズ、スリム、またはスーパースリムの紙巻たばこ用に設計されてもよい。
【００２１】
その寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜３０の喫煙物品を保持するよう設計しうる。
【００２２】
容器は喫煙物品の束を収容するだけでなく、その他の消費財（例えばマッチ、ライター、消火手段、口臭清涼剤、または電子機器など）をさらに含んでもよい。ほかの消費財は、容器の外側に取り付けられてもよく、容器の中に喫煙物品とともに、容器の別の区画内に収容されてもよく、またはその組み合わせであってもよい。
【００２３】
ハウジングのリッドは、ボックスにヒンジで取り付けられ、開位置と閉位置との間で操作されるように適合される。開位置において、消費者はハウジング内に配置された消費財にアクセスできる。リッドは、容器の後方壁を横切って延びるヒンジ線に沿って、ボックスにヒンジで取り付けられてもよい。「ヒンジ線」という用語は、容器を開くために、その周りをリッドが旋回しうる線を意味する。ヒンジ線は、例えばハウジングの後部壁を形成するパネル内の折り目または横罫線であってもよい。
【００２４】
ハウジング内には、消費財を含む内側パッケージが配置される。内側パッケージは、消費財を収容するための内部容積を少なくとも部分的に画定する。内側パッケージは、第一の層と、第一の層に取り付けられた第二の層とを含む材料で形成されることが好ましい。内側パッケージは、任意の適切な技法または複数の技法の組み合わせを使用して組み立てられうる。内側パッケージを形成する材料は、望ましい形状を提供するために任意の適切な方法で折り畳まれることができることが好ましい。一つ以上の実施形態において、内側パッケージは、任意の適切な位置に、例えば内側パッケージの上部壁、底部壁、前部壁、後部壁、および側壁のうち少なくとも一つの上に配置された封筒折りを含むように形成されうる。封筒折りは、任意の適切な技法または複数の技法の組み合わせを使用して形成されることができ、任意の適切なタイプの封筒折りとしうる。一つ以上の実施形態において、封筒折りは、内側パッケージの上に折り畳まれる一つ以上のタブを含むことができ、ここで内側パッケージの前部壁から折り畳まれるタブは一般に、内側パッケージの後方壁から折り畳まれるタブの上に折り畳まれる。折り畳み部の二つ以上のタブが、シールされた部分を提供するために、任意の適切な技法または複数の技法の組み合わせを使用してまとめて取り付けられうる。例えば、タブは接着剤、超音波溶接、ヒートシール、レーザーボンディング、およびその組み合わせを使用してまとめて取り付けられうる。内側パッケージは、パッケージがいったん組み立てられると、内側パッケージ上の任意の適切な位置に位置しうる任意の適切な数の折り畳み部を含みうる。内側パッケージは、第一および第二の側壁のそれぞれがシールされた部分を含むように、第一および第二の側壁のそれぞれに封筒折りを含むことが好ましい。
【００２５】
内側パッケージを形成する材料の第一の層は、内表面および外表面を含みうる。さらに、材料の第二の層は、内表面および外表面を含みうる。第二の層は、任意の適切な技法または複数の技法の組み合わせを使用して第一の層の内表面に取り付けられてもよい。第二の層は接着剤を使用して第一の層の内表面に取り付けられることが好ましい。任意の適切な接着剤または複数の接着剤の組み合わせを利用してもよい。接着剤は剥離可能な接着剤であることが好ましい。例えば、感圧型接着剤など、任意の適切な剥離可能な接着剤が利用されうる。
【００２６】
第一および第二の層は、任意の適切な材料または複数の材料の組み合わせを含みうる。第一の層は、第二の層と同一の材料を含んでもよく、第二の層とは異なる材料を含んでもよい。第一および第二の層のうち少なくとも一つは、金属箔または金属化紙で形成されることが好ましい。第一および第二の層のうち少なくとも一つは、金属化ポリエチレンフィルムとライナー材料のラミネートとして形成されうる。第一および第二の層のうち少なくとも一つは、約１０マイクロメートル〜約５０マイクロメートルの厚さを持ちうる。加えて、第一および第二の層には、印刷受容性のトップコートが施されてもよい。第一および第二の層の一方または両方は、望ましいバリア属性を内側パッケージに提供する材料または複数の材料の組み合わせを含むことができる。第一の層は、第二の層と同じバリア属性を有してもよく、第二の層とは異なるバリア属性を有してもよい。
【００２７】
第一の層および第二の層を形成するために、任意の適切な技法または複数の技法の組み合わせが利用されうる。一つ以上の実施形態において、第一の層および第二の層のうち少なくとも一つは、押し出し成形されうる。一つ以上の実施形態において、第一および第二の層は、同時押し出し成形されうる。一つ以上の実施形態において、第一および第二の層の一方または両方は、長軸方向および横断方向の一方または両方の向きにされうる。一つ以上の実施形態において、第一の層および第二の層のうち少なくとも一つは、キャストして乾燥処理されうる。
【００２８】
内側パッケージは、任意の適切な関係で配置された一つ以上の領域を含みうる。内側パッケージは、第一の領域および第二の領域を含みうる。一つ以上の実施形態において、第一の領域は、パッケージの長軸方向軸に沿って延び、第一および第二の層の両方を含む。第一の領域は、任意の適切な形状または複数の形状の組み合わせを取り、かつ任意の適切な寸法を持ちうる。第一の領域は、横断方向に測定した約２ｍｍ〜約２０ｍｍの幅を持つことが好ましい。第一の領域はまた、内側パッケージのフラップを画定する第一の層内に配置された第一の虚弱線を含みうる。第一の虚弱線は、任意の適切な形状または複数の形状の組み合わせを取りうる。第一の虚弱線は、フラップを第一の層から分離する三つの側面と、フラップと第一の層の間にヒンジ線を形成する第四の側面とを有するフラップを画定することが好ましい。一つ以上の実施形態において、フラップは、ボックスのリッドの内表面に取り付けられて、リッドを開口すると、フラップが第一の虚弱線に沿って内側パッケージから分離されるようにしてもよい。こうした実施形態において、フラップは、リッドが開位置にある時に、例えばＳ字形状など、任意の適切な形状を取りうる。フラップは、任意の適切な形状または複数の形状の組み合わせを取り、かつ任意の適切な寸法を持ちうる。
【００２９】
第一の虚弱線は、連続的であっても非連続的（例えば、穿孔された）であってもよい。さらに、第一の虚弱線は、任意の適切な技法または複数の技法の組み合わせ、例えばレーザー切断または機械的切断（例えば、ダイ切断、キス切断）を使用して形成されてもよい。第一の虚弱線は、第一の層の内表面と外表面に横断する方向に任意の適切な深さを含んでもよい。第一の虚弱線は、第一の層の総厚さの少なくとも約９０パーセントの深さを持つことが好ましい。第一の虚弱線は、第一の層の総厚さの約１００パーセントの深さを持つことがより好ましい。虚弱線が形成された後で、任意の適切なパーセンテージの材料が第一の虚弱線に沿って残りうる。虚弱線が形成された後で、約５パーセント〜約２５パーセントの第一の層の材料が第一の虚弱線に沿って残ることが好ましい。
【００３０】
第一の領域はまた、第一の領域内に配置されたアクセス開口部（それを通して消費財を取り出すことができる）を画定する第二の層内に形成された第二の虚弱線を含みうる。アクセス開口部は、フラップが閉位置にある時に、第一の層中に形成されたフラップによって覆われる。さらに、アクセス開口部は、第一の層のフラップが開位置にある時に、少なくとも部分的に覆われない。一つ以上の実施形態において、アクセス開口部は、フラップが開位置にある時に、全く覆われない。フラップが開位置にある時に、フラップに取り付けられた第二の層の部分は、第二の虚弱線に沿って内側パッケージから分離され、アクセス開口部を露呈させる。
【００３１】
第二の虚弱線は、任意の適切な形状または複数の形状の組み合わせを取って、アクセス開口部を画定しうる。第二の虚弱線は、連続的であっても非連続的（例えば、穿孔された）であってもよい。さらに、第二の虚弱線は、任意の適切な技法または複数の技法の組み合わせ、例えばレーザー切断または機械的切断（例えば、ダイ切断、キス切断）を使用して形成されてもよい。第二の虚弱線は、第二の層の内表面と外表面に横断する方向に任意の適切な深さを含んでもよい。第二の虚弱線は、第二の層の総厚さの約９０パーセントの深さを持つことが好ましい。第二の虚弱線は、第二の層の総厚さの約１００パーセントの深さを持つことがより好ましい。第二の虚弱線が形成された後で、任意の適切なパーセンテージの材料が第二の虚弱線に沿って残りうる。第二の虚弱線が形成された後で、約５パーセント〜約２５パーセントの第二の層の材料が第二の虚弱線に沿って残ることが好ましい。
【００３２】
内側パッケージはまた、第一の領域に隣接した第二の領域を含む。第二の領域はまた、内側パッケージの長軸方向軸に沿って延びる。第二の領域は、任意の適切な形状または複数の形状の組み合わせを取り、かつ任意の適切な寸法を持ちうる。第二の領域は、横断方向に測定した約２ｍｍ〜約２０ｍｍの幅を持つことが好ましい。一つ以上の実施形態において、第二の領域は第一の層のみを含み、第二の層を含まない。
【００３３】
一つ以上の実施形態において、内側パッケージはまた、内側パッケージの長軸方向軸に沿って延びる第一の領域に隣接した第三の領域を含みうる。こうした実施形態において、第一の領域は第二の領域と第三の領域の間に配置されうる。第三の領域は第一の層のみを含み、第二の層を含まない。第三の領域は、任意の適切な形状または複数の形状の組み合わせを取り、かつ任意の適切な寸法を持ちうる。第三の領域は、横断方向に測定した約２ｍｍ〜約２０ｍｍの幅を持つことが好ましい。
【００３４】
内側パッケージを形成する材料の第二の層は、内側パッケージが組み立てられた構成にある時に、内側パッケージの任意の適切な部分上に延びうる。第二の層は、組み立てられた内側パッケージの前部壁と、第一の側壁および第二の側壁の一方または両方の少なくとも一部分の上に延びることが好ましい。第二の層は、組み立てられた内側パッケージの前部壁の上に、および第一の側壁と第二の側壁の一方または両方の一部分のみの上に延びることがより好ましい。言い換えれば、内側パッケージを形成する材料の第二の層は、内側パッケージが組み立てられた構成にある時に、任意の適切な部分または内側パッケージの部分内に存在しうる。第二の層は、第一の側壁および第二の側壁の一方または両方内に配置された、シールされた部分内には延びないことが好ましくありうる。
【００３５】
第一の層の外表面の少なくとも一部分は、ボックスの後方壁の内表面の対応する部分に永久的に貼り付けられてもよい。第一の層の外表面のこの部分をボックスの後方壁に貼り付けるために、任意の適切な技法または複数の技法の組み合わせが利用されうる。永久接着剤を利用して、第一の層の外表面の一部分をボックスの後方壁に取り付けることが好ましい。さらに、第一の層の外表面の少なくとも一部分は、ボックスの前部壁の内表面の対応する部分に永久的に貼り付けられてもよい。ここでも、任意の適切な技法または複数の技法の組み合わせを利用して、例えば第一の層の外表面を永久接着剤でボックスの前部壁の内表面に付着させることによって、第一の層の外表面のこの部分をボックスの前部壁の内表面に取り付けてもよい。
【００３６】
第一の虚弱線によって画定されるフラップは、容器のハウジングのリッドの内表面に取り付けられてもよい。例えば、機械的留め具、接着剤、熱接着または超音波接着、およびその組み合わせである、任意の適切な技法または複数の技法の組み合わせを利用して、フラップをリッドの内表面に取り付けてもよい。フラップは接着剤を使用してリッドの内表面に取り付けられることが好ましい。接着剤は任意の適切な接着剤または複数の接着剤の組み合わせとしうる。第二の接着剤は永久接着剤であることが好ましい。フラップの任意の適切な部分をリッドの内表面に取り付けてもよい。一つ以上の実施形態において、フラップを形成する第一の層の外表面の一部分がリッドの内表面に取り付けられる。一つ以上の実施形態において、フラップを形成する第一の層の内表面の一部分がリッドに取り付けられる。
【００３７】
フラップは、フラップが閉位置にある時に、第二の層に再び取り付けられるよう適合される。第二の層を第一の層に取り付けるのに使用されるのと同じ接着剤を、フラップと第二の層の間に配置して、フラップが閉位置にある時にフラップを第二の層に再び取り付けてもよい。一つ以上の実施形態において、別のまたは追加の接着剤または複数の接着剤を、アクセス開口部の周囲に沿って、第二の層の少なくとも一部分に沿って配置して、閉位置にある時にフラップを第二の層に取り付けることができるようにしてもよい。アクセス開口部の周辺に沿った第二の層のこの部分は、第二の層の封止領域を画定する。封止領域の少なくとも一部分は、フラップが閉位置にある時に、フラップと重なる。フラップと第二の層の間に配置された接着剤は、フラップの繰り返しの開閉を許容して、フラップが開位置にある時に内側パッケージ内に配置された消費財の出し入れを可能にし、フラップが閉位置にある時に消費財が内側パッケージ内に封じられたままとなるようにする。フラップと第二の層の間に配置された接着剤は、パッケージが空になるまで消費者が内側パッケージを開いたり再び封じたりすることができるように、少なくとも内側パッケージ内に消費財がある回数だけフラップを再び取り付けるのに十分な付着性を提供することが好ましい。
【００３８】
フラップが閉位置にある時にアクセス開口部がフラップによって覆われるように、フラップが内側パッケージのアクセス開口部の面積よりも大きい面積を有することが好ましい。フラップを画定する第一の虚弱線は、第二の層の封止領域を露呈する。封止領域は任意の適切な寸法を有してもよい。例えば、一つ以上の実施形態において、封止領域が、アクセス開口部の周囲から第一の虚弱線に延びる一定の幅を有してもよい。一つ以上の実施形態において、封止領域は、アクセス開口部の周囲に沿って変動する幅を有してもよい。封止領域の平均幅は、約２ｍｍ〜約５ｍｍであることが好ましい。封止領域の表面積は、アクセス開口部の面積の約２５パーセント〜約３００パーセントであることが好ましい。封止領域の表面積は、アクセス開口部の面積の約２５パーセント〜約６５パーセントであることがより好ましい。
【００３９】
容器は、内側パッケージを形成する材料の第一の層内に画定されたフラップの上に配置される接着ラベルをさらに含みうることが好ましい。接着ラベルがフラップを覆い、かつフラップおよびラベルの両方がアクセス開口部をシールするように追加的なシールを提供するように、接着ラベルは第一の層に取り付けられうる。一つ以上の実施形態において、接着ラベルはリッドの内表面に取り付けられうる。一つ以上の実施形態において、フラップおよび接着ラベルの両方がリッドの内表面に取り付けられうる。
【００４０】
一つ以上の実施形態において、内側パッケージは、内側パッケージの第一の層の外表面上に配置された装飾用または情報用の接着ラベルを含みうる。接着ラベルは、任意の適切な材料または複数の材料を含むことができ、任意の適切な寸法を持ちうる。さらに、接着ラベルは、第一の層の外表面の任意の適切な場所に配置されうる。一つ以上の実施形態において、接着ラベルはラベルの外表面上に配置されたしるしを含むことができ、ラベルは消費者に見えるように第一の層の外表面上の場所に配置されうる。
【００４１】
内側パッケージは、容器を初めて開くまでは、第一および第二の虚弱線に沿ってより確実に封じられうる。これによって、容器内に含まれている消費財の貯蔵寿命を延長しうる。
【００４２】
内側パッケージは、予め組み立てられた内側パッケージから形成されうる。予め組み立てられた内側パッケージは、第一の層と、第一の層の内表面に取り付けられた第二の層とを含む材料から形成されうる。第一の領域は長軸方向軸に沿って延びることができ、第一および第二の層を含む。第一の領域は、フラップを画定する第一の層内に配置された第一の虚弱線と、第一の領域内に配置されたアクセス開口部を画定する第二の層内に配置された第二の虚弱線とを含みうる。アクセス開口部は、フラップが閉位置にある時に、フラップによって覆われうる。さらに、アクセス開口部は、フラップが開位置にある時に、少なくとも部分的に覆われない。予め組み立てられた内側パッケージはまた、長軸方向軸に沿って延びる第一の領域に隣接した第二の領域を含みうる。第二の領域は第一の層のみを含むことができ、第二の層を含まない。予め組み立てられた内側パッケージはまた、第一の領域に隣接して長軸方向軸に沿って延びる第三の領域を含むことが好ましい。第一の領域は、第二の領域と第三の領域の間に配置される。第三の領域は第一の層のみを含み、第二の層を含まない。一つ以上の実施形態において、第一の領域は、予め組み立てられた内側パッケージの全長にわたり長軸方向に延びる。一つ以上の実施形態において、第一の領域は、予め組み立てられた内側パッケージの第一の横断部分と第二の横断部分の間を長軸方向に延びる。第一の横断部分と第二の横断部分はそれぞれ、第一の層のみを含み、第二の層を含まない。第一の横断部分と第二の横断部分は、任意の適切な形状または複数の形状の組み合わせを取りうるとともに、任意の適切な寸法を持つ。予め組み立てられた内側パッケージの材料は、任意の適切な数の横断部分を含みうる。
【００４３】
容器はまた、ボックス内に配置された一つ以上の内側フレームを含んでもよい。内側フレームは、内側パッケージとボックスの前部壁の間に配置されるか、内側パッケージ内に配置されてもよい。一つ以上の実施形態において、第一の内側フレームは内側パッケージとボックスの前部壁の間に配置されることができ、第二の内側フレームは内側パッケージ内に配置されうる。内側パッケージ内に配置される時、内側フレームは、内側パッケージの前部壁が内側フレームとボックスの前部壁の間となるよう位置付けられる。内側フレームは前部壁および一対の対向する側壁を含む。内側フレームはＵ字形状であることが好ましい。本明細書で使用される「Ｕ字形状」という用語は、少なくとも３つの部分を含む形状を意味し、ここで第一の部分および第三の部分は相互に平行であり、第二の部分と直角を成す同一の方向に延びる。
【００４４】
内側フレームの前部壁は、内側パッケージの前部壁が内側フレームの前部壁とボックスの前部壁の間にあるように配置されることが好ましい。有利なことに、内側パッケージの前部壁に隣接して提供される大きな表面積を有する内側フレームは、容器の構造的強度を増大する。内側フレームによって提供される増大した構造強度によって、フラップがより確実に閉じられる。これは、その後の容器が完全に充填されていない時に閉じる作業において、特に有利である。
【００４５】
内側フレームは前部壁の上部に切り抜きを含むことが好ましい。切り抜きはアクセス開口部に実質的に対応することが好ましく、また内側パッケージ内の消費財の出し入れをより容易に行えるように提供される。内側フレームが切り抜きを含む場合、内側フレームの高さは内側フレームの底部から切り抜きまでの距離として画定される。
【００４６】
内側フレームは一つ以上の補強要素を含んでもよい。一つ以上の補強要素に接着剤が含まれ、この接着剤が内側フレームと内側パッケージを補強することが好ましい。別の方法として、一つ以上の補強要素は、内側フレームに貼り付けられる少なくとも一つの材料の層（例えば、内側フレームの製造に利用される厚紙と類似の厚紙など）を含みうる。この別の方法において、少なくとも一つの追加の材料の層は、内側フレームに永久的に貼り付けられる。少なくとも一つの追加の層は細長いことが好ましい。内側フレームがＵ字型である場合、少なくとも一つの追加の材料の層は、内側フレームの前部壁の外表面に貼り付けられることが好ましい。少なくとも一つのさらなる層は、内側フレームの上部に隣接して貼り付けられることが好ましい。
【００４７】
リッドおよび少なくとも一つの側壁を含むカートンは、本明細書に記述される複数の容器を収容することができる。
【００４８】
「第一の領域に隣接した」という語句は、第二の領域および第三の領域の一方または両方が第一の領域の横にあるかまたは隣接することを意味する。
【００４９】
容器または内側パッケージの構成要素の相対的位置を描写するために使用される「前部」、「後部」、「上の」、「下の」、「側部」、「上部」、「底部」という用語は、上部端でリッドを有し、前部の上端から出し入れ可能な消費財を有する、直立位置にある容器または内側パッケージについて言及するものである。「左」および「右」という用語は、容器および内側パッケージをその直立位置で前部から見た時の容器または内側パッケージの側壁に言及して使用されうる。
【００５０】
「内表面」という用語は本明細書において、容器が閉位置にある時に、その容器の内部に面する（例えば、消費財に面する）組み立てられた容器の構成要素の表面を意味するために使用される。
【００５１】
「長軸方向軸」という用語は本明細書において、内側パッケージまたは予め組み立てられた内側パッケージの上部壁と底部壁の間に延びる内側パッケージまたは予め組み立てられた内側パッケージの軸を描写するために使用される。
【００５２】
「外表面」という用語は本明細書において、容器の外側に面する容器の構成要素の表面を意味するために使用される。例えば、一つ以上の実施形態において、容器は、容器の外側ハウジングに面する外表面と、容器の内側パッケージに面する内表面とを含む内側フレームを含む。
【００５３】
本明細書で使用されるすべての科学的および技術的な用語は、別途指定のない限り、当業界で一般に使用される意味を持つ。本明細書で提供した定義は、本明細書で頻繁に使用される特定の用語の理解を容易にするために提供されている。
【００５４】
ここで本発明の一部の態様が図示されている図面を参照する。
【図面の簡単な説明】
【００５５】
【図１】図１は、容器がハウジングと、ハウジング内に配置された内側パッケージとを含む、開位置にあるリッドを含む容器の概略斜視図である。
【図２】図２は、図１の容器の概略側面断面図である。
【図３】図３は、リッドが閉位置にある図１の容器の概略斜視図である。
【図４】図４は、図１の内側パッケージの概略斜視図である。
【図５】図５は、図１の内側パッケージの一部分の概略断面図である。
【図６】図６は、図１の内側パッケージの一部分の概略平面図である。
【図７】図７は、予め組み立てられた内側パッケージの概略平面図である。
【図８】図８は、内側フレームの概略平面図である。
【発明を実施するための形態】
【００５６】
図１を参照すると、消費財用の容器１０の一実施形態の概略斜視図が図示されている。容器は、ボックス１４と、ヒンジ線（図示せず）によってボックスにヒンジ止めされたリッド２０とを含む、ハウジング１２を含む。ヒンジ線は、容器１０のボックス１４の後部１８を横切って延び、リッド２０が閉位置（図３）から、図１に示す通り開位置に移動することを可能にするよう機能する。内側パッケージ３０はハウジング１２の中に配置される。内側パッケージ３０は、消費財を収容するための内部容積を少なくとも部分的に画定する。内側パッケージ３０は、容器を初めて開くまで消費財を密封封止するためのバリア材料（複数可）からできている。バリア材料は、金属箔またはプラスチックおよび金属の積層体であってもよい。
【００５７】
図４〜６を参照すると、内側パッケージ３０は、上部壁３８、底部壁３９、上部壁と底部壁の間に延びる前部壁および後部壁３２、３４、第一の側壁３６、および第二の側壁３７を含み、それぞれの側壁は前部壁と後部壁の間に配置される。内側パッケージ３０は、第一の層４０と、第一の層４０の内表面４６に取り付けられた第二の層５０とを含む材料３１から形成される（図５）。図５〜６に図示した通り、内側パッケージ３０はまた、長軸方向軸２に沿って延びる第一の領域８０を含む。第一の領域８０は、材料３１の第一および第二の層４０、５０を含む。第一の領域８０はまた、フラップ４４を画定する第一の層４０内に配置された第一の虚弱線４２を含む。第一の領域８０はまた、第一の領域内に配置されたアクセス開口部５４（それを通して消費財（図示せず）を取り出すことができる）を画定する第二の層５０内に配置された第二の虚弱線５２を含む。アクセス開口部５４は、フラップが閉位置にある時に、フラップ４４によって覆われる（図３）。さらに、アクセス開口部５４は、フラップ４４が開位置にある時に、少なくとも部分的に覆われない（図１〜２）。
【００５８】
内側パッケージ３０はまた、長軸方向軸２に沿って延びる第一の領域８０に隣接した第二の領域８２を含む。第二の領域８２は、第一の層４０のみを含み、第二の層５０を含まない。内側パッケージ３０はまた、第一の領域８０が第二の領域８２と第三の領域８４の間に配置されるように、第一の領域８０に隣接した第三の領域８４を含む。第三の領域８４はまた、長軸方向軸２に沿って延びる。第三の領域８４は、第一の層４０のみを含み、第二の層５０を含まない。
【００５９】
フラップ４４は、ヒンジ線４９に沿って第一の層４０に取り付けられる（図２）。リッドを開口すると、フラップおよびフラップに取り付けられた第二の層５０の部分５５（図１）が内側パッケージ３０からそれぞれ第一の虚弱線４２および第二の虚弱線５２に沿って分離され、アクセス開口部５４が露呈するように、フラップ４４はまた、リッド２０の内表面２２（図２）に取り付けられる。
【００６０】
容器１０はまた、内側パッケージ３０内に配置された内側フレーム７０を含む。内側フレーム７０は、内側フレームとボックス１４の前部壁１６の内表面１７（図２）との間に配置された補強要素７２を含んでもよい。
【００６１】
図２を参照すると、図１の容器１０の概略断面図が、開位置におけるリッド２０とフラップ４４とともに図示されている。内側パッケージ３０はハウジング１２のボックス１４内に配置された状態で図示され、内側フレーム７０は内側パッケージ内に配置される。一つ以上の実施形態において、フラップ４４はリッド２０に取り付けられる。開位置では、フラップ４４はＳ字形状を形成する。容器１０の幾何学的形状は、フラップ（およびリッド２０）が閉位置に戻る時にフラップ４４が自動的に内側パッケージ３０に再密封されるようにされる。
【００６２】
内側パッケージ３０の第一の層４０の外表面４８の少なくとも一部分は、ボックス１４の後方壁１８の内表面１９の対応する部分に永久的に貼り付けられ、これによって、第一の領域２４のボックスの後方壁の内表面に内側パッケージを貼り付ける。さらに、内側パッケージ３０の第一の層４０の外表面４８の少なくとも一部分は、ボックス１４の前部壁１６の内表面１７の対応する部分に永久的に貼り付けられ、これによって、第二の領域２６のボックスの前部壁の内表面に内側パッケージを貼り付ける。内側パッケージ３０の少なくとも一部分をボックス１４の前部壁１６と後方壁１８の一方または両方に永久的に貼り付けることで、内側パッケージの構造的弾性がさらに向上されうる。内側パッケージ３０は、例えばホットメルト接着剤、溶剤型接着剤、水性接着剤、無溶剤接着剤、感圧接着剤、導電型シーリング、および誘導型シーリングを用いて、永久的に貼り付けられてもよい。好ましい実施形態において、内側パッケージ３０は、ホットメルト接着剤を用いてボックス１４に永久的に取り付けられる。
【００６３】
図３を参照すると、図１の容器１０の概略斜視図が図示されている。容器１０のリッド２０および内側パッケージ３０のフラップ４４は、閉位置にある。フラップ４４は、フラップが閉位置にある時に、第二の層５０（図５）に取り付けられる。
【００６４】
図４を参照すると、図１の内側パッケージ３０の概略斜視図が図示されている。一つ以上の実施形態において、内側パッケージ３０はまた、フラップがリッド２０の内表面２２に取り付けられるように、フラップ４８上に配置された接着剤９４を含む（図２）。内側パッケージ３０は、第一の側壁３６上にシールされた部分９０をさらに含む。図に示されていないが、内側パッケージ３０はまた、第二の側壁３７上に配置された追加的なシールされた部分を含みうる。シールされた部分９０は、折り畳み部を所定位置に保持するために、内側パッケージ３０の材料３１の折り畳み部９２内に配置されうる。内側パッケージ３０の折り畳み部９２は封筒折りである。内側パッケージ３０の材料３１の第二の層５０は、シールされた部分９０には延びない（図６）。
【００６５】
図５を参照すると、図１の内側パッケージ３０の一部分の概略断面図が図示されている。内側パッケージ３０の第一の領域８０は、フラップ４４を画定する第一の層４０内に配置された第一の虚弱線４２を含む。第二の層５０は、接着剤６０によって第一の層４０の内表面４６に取り付けられる。第一の領域８０は、第一の領域に配置されたアクセス開口部５４を画定する第二の層５０内に配置された第二の虚弱線５２を含む。図５に示す通り、アクセス開口部５４は、フラップが閉位置にある時に、フラップ４４によって覆われる。フラップ４４は、フラップが閉位置にある時に、第二の層５０に取り付けられるよう適合される。
【００６６】
封止領域６２は、第一の虚弱線４２と第二の虚弱線５２の間に形成される。フラップ４４は、アクセス開口部５４を封止領域６２内に重ね合わせて、フラップが閉位置にある時に封止領域内でフラップが第二の層５０に取り付けられるように適合される。一つ以上の実施形態において、封止領域６２は、アクセス開口部５４の周囲に沿って、一定の幅を有する。一つ以上の実施形態において、封止領域６２は、アクセス開口部５４の周囲に沿って、変動する幅を有する。
【００６７】
内側パッケージ３０はまた、フラップが閉位置から開位置に移動した時に、フラップ４４に取り付けられたままである第二の層５０の部分５５を含む。言い換えれば、フラップ４４を開けると（図１〜２）、フラップおよびフラップに取り付けられた第二の層５０の部分５５は、それぞれ第一および第二の虚弱線４２、５２に沿って内側パッケージ３０から分離され、アクセス開口部５４が露呈する。
【００６８】
図６を参照すると、図１の内側パッケージ３０の一部分の概略平面図が図示されている。折り目９６および９８は、第一および第二の側壁３６、３７の両方に封筒折りを提供するために形成され、その部分が図６に図示されている。折り目９６、９８は、内側パッケージ３０の前部壁３２と側壁３６、３７の間、または後部壁３４と側壁の間に配置されうる。第一および第二の側壁３６、３７内に形成される封筒折り（例えば、図４の封筒折り９０）のタブは、まとめて取り付けられて第一の側壁３６（図４）内のシールされた部分９２、および第二の側壁３７内のシールされた部分（図示せず）を形成しうる。一つ以上の実施形態において、第二の層５０の第一の端５８は、第一の側壁３６内の折り目９６まで延びない。さらに、第二の層５０の第二の端５９は、第二の側壁３７内の折り目９８まで延びない。その結果、第二の層５０は、第一および第二の側壁３６、３７内で封筒折りのタブがまとめて取り付けられた時に形成されるシールされた部分までは延びない。
【００６９】
図７を参照すると、予め組み立てられた内側パッケージ１００の概略平面図が図示されている。予め組み立てられた内側パッケージ１００は長軸方向軸１０２に沿って延び、また第一の層１４０と、第一の層の内表面に取り付けられた第二の層１５０とを含む材料から形成される（図示せず）。予め組み立てられた内側パッケージ１００は、長軸方向軸１０２に沿って延び、かつ第一および第二の層１４０、１５０を含む第一の領域１８０をさらに含む。第一の領域１８０は、フラップ１４４を画定する第一の層１４０内に配置された第一の虚弱線１４２と、第一の領域内に配置されたアクセス開口部１５４を画定する第二の層１５０内に配置された第二の虚弱線１５２とをさらに含む。アクセス開口部１５４は、フラップが閉位置にある時に、フラップ１４４によって覆われ、またアクセス開口部は、フラップが開位置にある時に、少なくとも部分的に覆われない。予め組み立てられた内側パッケージ１００はまた、長軸方向軸１０２に沿って延びる第一の領域１８０に隣接した第二の領域１８２を含む。第二の領域１８２は、第一の層１４０のみを含み、第二の層１５０を含まない。予め組み立てられた内側パッケージ１００はまた、第一の領域１８０が第二の領域１８２と第三の領域１８４の間に配置されるように、長軸方向軸１０２に沿って延びる第一の領域１８０に隣接した第三の領域１８４を含む。第三の領域１８４は、第一の層１４０のみを含み、第二の層１５０を含まない。
【００７０】
第一の領域１８０は、予め組み立てられた内側パッケージ１００の全長にわたり長軸方向に延びうる。一つ以上の実施形態において、第一の領域１８０は、第一の横断部分１８６と第二の横断部分１８８の間を長軸方向に延びる。第一および第二の横断部分１８６、１８８はそれぞれ、第一の層１４０のみを含み、第二の層１５０を含まない。
【００７１】
図７に図示する予め組み立てられた内側パッケージ１００はまた、組み立てられる時に内側パッケージの前部壁（例えば図４の内側パッケージ３０の前部壁３２）を形成する前部壁パネル１０１と、組み立てられる時に内側パッケージの後部壁（例えば、図４の内側パッケージ３０の後部壁３４）を形成する二つの壁パネル１０４と１０６、上部壁パネル１０８と、底部壁パネル１１０とを含む。予め組み立てられた内側パッケージ１００はまた、側壁（例えば、図４の第一および第二の側壁３６、３７）を形成する複数の側壁パネル１１８を含む。図７で分かる通り、第二の虚弱線１５２は、アクセス開口部１５４が上部壁パネル１０８および前部壁パネル１０２の部分を横切って画定されるように、予め組み立てられた内側パッケージ１００上に配置される。予め組み立てられた内側パッケージ１００はまた、補強要素１１９を含みうる。補強要素１１９は、図１〜２の内側フレーム７０に関して本明細書に記載した任意の適切な補強要素を含みうる。
【００７２】
図８は、予め組み立てられた内側フレーム１２０を図示する。本明細書に記載の通り、内側フレーム１２０は前部壁１２２と、二つの対向する側壁１２４および１２６とを含む。前部壁１２２の外表面には、補強要素１２８が備えられる。本明細書に記載の通り、切り欠き１３０は、内側フレームの前部壁パネルの上部に提供される。切り抜き１３０は、容器内に収容された消費財の出し入れをより容易にすることを可能にするように提供される。切り抜き１３０は、内側パッケージ３０内に提供されたアクセス開口部５４（図１）と整合するように提供される。
【００７３】
上記図面中の点線は折り目を示す。
【国際調査報告】
2018535154.tif 000011
2018535154.tif 000012
2018535154.tif 000013